(57)【要約】【課題】入力操作のためのモードを複数備えた情報処理装置において、操作モードを処理に応じた適切な操作モードとする情報処理装置を提供する。【解決手段】電子機器の入力装置の１つであるタッチパネルには、操作モードとしてマウス操作モードとタッチ操作モードとがある。電子機器は、たとえば入力がなく一定時間が経過すると、待機状態に移行し、タッチパネルの操作モードをマウス操作モードに固定する（Ｓ００５）。そして、タッチパネルの操作モードをマウス操作モードに切り替える（Ｓ００７）。固定されている場合には切替操作がなされても、タッチ操作モードには切り替わらない。待機状態から復帰したときには（Ｓ０１１）、操作モードの固定を解除する（Ｓ０１３）。【選択図】図１８
2010267013.tif 000002
【特許請求の範囲】
【請求項１】
プログラムを実行するための処理装置に接続され、
前記処理装置での前記プログラムの実行処理に対する操作を受け付けるための入力手段を備え、
前記入力手段は、前記処理装置での前記プログラムの実行処理に対する操作を受け付けるためのモードとして複数の操作モードを有し、
前記処理装置での前記プログラムの実行の段階に応じて、前記入力手段の操作モードを切り替えるための制御手段をさらに備える、情報処理装置。
【請求項２】
前記制御手段は、前記入力手段の操作モードが、前記処理装置での前記プログラムの実行の段階に応じた操作モードでない場合に、前記入力手段の操作モードを前記処理装置での前記プログラムの実行の段階に応じた操作モードに切り替える、請求項１に記載の情報処理装置。
【請求項３】
前記入力手段の操作モードの切り替えを指示する操作を受け付けるための指示手段をさらに備え、
前記制御手段は、前記指示手段で受け付けた前記操作で指示された切り替え後の操作モードが、前記処理装置での前記プログラムの実行の段階に応じた操作モードである場合に前記操作で指示された切り替えを行ない、前記処理装置での前記プログラムの実行の段階に応じた操作モードでない場合には前記操作で指示された切り替えを行なわない、請求項１または２に記載の情報処理装置。
【請求項４】
前記制御手段は、前記処理装置での前記プログラムの実行の段階と、当該段階に応じた操作モードとを予め記憶する、請求項１〜３のいずれかに記載の情報処理装置。
【請求項５】
前記入力手段はタッチパネルであり、
前記複数の操作モードは、前記タッチパネルを用いたマウス操作を受け付けるモードと、前記タッチパネルを用いたタッチ操作を受け付けるモードとを含む、請求項１〜４のいずれかに記載の情報処理装置。
【請求項６】
前記処理装置は表示装置を含み、
前記処理装置で実行されるプログラムの処理は、前記表示装置への表示に基づいて前記入力手段で受け付けた前記操作を用いる処理を含む、請求項１〜５のいずれかに記載の情報処理装置。
【請求項７】
前記入力手段はタッチパネルであり、
前記複数の操作モードは、前記タッチパネルを用いたマウス操作を受け付けるモードと、前記タッチパネルを用いたタッチ操作を受け付けるモードとを含み、
前記制御手段は、前記処理装置での前記プログラムの実行の段階が、前記表示装置への表示に基づいて前記入力手段で前記操作を受け付けて次の処理に進む段階である場合に、前記入力手段の操作モードを、前記マウス操作を受け付けるモードに切り替える、請求項６に記載の情報処理装置。
【請求項８】
前記入力手段の操作モードの切り替えを指示する操作を受け付けるための指示手段をさらに備え、
前記制御手段は、前記処理装置での前記プログラムの実行の段階が、前記表示装置への表示に基づいて前記入力手段で前記操作を受け付けて次の処理に進む段階である場合に、前記指示手段で受け付けた前記操作で指示された切り替え後の操作モードが前記タッチ操作を受け付けるモードである場合には、前記操作モードの切り替えを行なわない、請求項７に記載の情報処理装置。
【請求項９】
プログラムを実行するための処理手段を備え、
前記処理手段での前記プログラムの実行処理に対する操作を受け付けるための入力装置に接続され、
前記入力装置は、前記処理手段での前記プログラムの実行処理に対する操作を受け付けるためのモードとして複数の操作モードを有し、
前記処理手段での前記プログラムの実行の段階に応じて、前記入力装置の操作モードを切り替えるための制御手段をさらに備える、情報処理装置。
【請求項１０】
プログラムを実行するための処理装置に接続され、前記処理装置での前記プログラムの実行処理に対する操作を受け付けるための入力手段を備えたコンピュータを制御するためのプログラムであって、
前記入力手段は、前記処理装置での前記プログラムの実行処理に対する操作を受け付けるためのモードとして複数の操作モードを有し、
前記処理装置での前記プログラムの実行の段階に応じた操作モードを特定するステップと、
前記入力手段の操作モードを、前記特定された操作モードに切り替えるステップとを実行させる、制御プログラム。
【請求項１１】
前記入力手段の操作モードの切り替えを指示する操作を受け付けるステップと、
前記受け付けた前記操作で指示された切り替え後の操作モードが、前記特定された操作モードである場合に前記操作で指示された切り替えを行ない、前記特定された操作モードでない場合には前記操作で指示された切り替えを行なわないステップとをさらに実行させる、請求項１０に記載の制御プログラム。
【発明の詳細な説明】
【技術分野】
【０００１】
この発明は情報処理装置および制御プログラムに関し、特に、入力操作のためのモードを複数備えた情報処理装置および制御プログラムに関する。
【背景技術】
【０００２】
情報処理装置として、テキストや画像などを表示（再生）することができる電子機器が知られている。そのような情報処理装置の中には、表示パネルと操作パネルとを有するものがある。より詳細には、情報処理装置は、表示パネルを介してユーザにテキストや画像を表示するとともに、タブレット機能などを搭載した操作パネルを介してユーザから各種の命令を受け付ける。そのような情報処理装置としては、ノート型のパーソナルコンピュータや携帯電話などが挙げられる。
【０００３】
上記操作パネルはポインティングデバイスとして機能し、ユーザの操作パネル上で指を移動させる操作により、カーソルの移動のようなポインティング操作が実現される。また、上記操作パネルには操作ボタンが表示され、ユーザの操作ボタンへのタッチにより対応する処理が実現される。すなわち、上記操作パネルの操作モードとして、前者の機能を実現するマウス操作モードと、後者の機能を実現するタッチ操作モードとが存在する。そして、これらモードの切り替えについて、いくつかの技術が開示されている。
【０００４】
すなわち、特開２０００−３３９０９７号公報（以下、特許文献１）は、情報処理装置にモード切替ボタンを設けて、モード切替ボタンの操作に従ってこれらモードを切り替える技術を開示している。また、特開２００４−５２１２号公報（以下、特許文献２）は、一方のモードからモードの切り替えの指示を受け付けて、他方のモードに切り替える技術を開示している。また、特開２００７−１５６９８３号公報（以下、特許文献３）は、外部ポインティングデバイスの接続を検出すると、タッチ操作モードに切り替ええる技術を開示している。
【先行技術文献】
【特許文献】
【０００５】
【特許文献１】特開２０００−３３９０９７号公報
【特許文献２】特開２００４−５２１２号公報
【特許文献３】特開２００７−１５６９８３号公報
【発明の概要】
【発明が解決しようとする課題】
【０００６】
このような装置においては、処理の状況によっては、表示パネルの操作モードとして一方の操作モードが要求される場合がある。たとえば、メイン画面側に確認ダイアログなどが表示されており、その操作を行なわなければ処理が次に進まないような状況においては、表示パネルの操作モードとしてマウス操作モードが要求される。逆に、操作パネル側に確認ダイアログなどが表示されており、その操作を行なわなければ処理が次に進まないような状況においては、表示パネルの操作モードとしてタッチ操作モードが要求される。
【０００７】
上述の特許文献１〜３に開示された技術においては、上のような場合において必要な操作モードに切り替えられていないときには、ユーザからの操作を受け付けて表示パネルの操作モードを必要なモードに切り替えてから必要な操作を受け付けることが可能となる。しかしながら、操作の前に操作モードの切り替えが必要となり、操作手順が煩雑となる、という問題がある。
【０００８】
本発明はこのような問題に鑑みてなされたものであって、入力操作のためのモードを複数備えた情報処理装置において、操作モードを処理の段階に応じた適切な操作モードとする情報処理装置および制御プログラムを提供することを目的の１つとしている。
【課題を解決するための手段】
【０００９】
上記目的を達成するために、本発明のある局面に従うと、情報処理装置は、プログラムを実行するための処理装置に接続され、処理装置でのプログラムの実行処理に対する操作を受け付けるための入力手段を備え、入力手段は、処理装置でのプログラムの実行処理に対する操作を受け付けるためのモードとして複数の操作モードを有し、処理装置でのプログラムの実行の段階に応じて、入力手段の操作モードを切り替えるための制御手段をさらに備える。
【００１０】
好ましくは、制御手段は、入力手段の操作モードが、処理装置でのプログラムの実行の段階に応じた操作モードでない場合に、入力手段の操作モードを処理装置でのプログラムの実行の段階に応じた操作モードに切り替える。
【００１１】
好ましくは、情報処理装置は入力手段の操作モードの切り替えを指示する操作を受け付けるための指示手段をさらに備え、制御手段は、指示手段で受け付けた操作で指示された切り替え後の操作モードが、処理装置でのプログラムの実行の段階に応じた操作モードである場合に指示手段で受け付けた操作で指示された切り替えを行ない、処理装置でのプログラムの実行の段階に応じた操作モードでない場合には指示手段で受け付けた操作で指示された切り替えを行なわない。
【００１２】
好ましくは、制御手段は、処理装置でのプログラムの実行の段階と、当該段階に応じた操作モードとを予め記憶する。
【００１３】
好ましくは、入力手段はタッチパネルであり、上記複数の操作モードは、タッチパネルを用いたマウス操作を受け付けるモードと、タッチパネルを用いたタッチ操作を受け付けるモードとを含む。
【００１４】
好ましくは、処理装置は表示装置を含み、処理装置で実行されるプログラムの処理は、表示装置への表示に基づいて入力手段で受け付けた操作を用いる処理を含む。
【００１５】
より好ましくは、入力手段はタッチパネルであり、上記複数の操作モードは、タッチパネルを用いたマウス操作を受け付けるモードと、タッチパネルを用いたタッチ操作を受け付けるモードとを含み、制御手段は、処理装置でのプログラムの実行の段階が、表示装置への表示に基づいて入力手段で操作を受け付けて次の処理に進む段階である場合に、入力手段の操作モードを、マウス操作を受け付けるモードに切り替える。
【００１６】
より好ましくは、情報処理装置は入力手段の操作モードの切り替えを指示する操作を受け付けるための指示手段をさらに備え、制御手段は、処理装置でのプログラムの実行の段階が、表示装置への表示に基づいて入力手段で操作を受け付けて次の処理に進む段階である場合に、指示手段で受け付けた操作で指示された切り替え後の操作モードがタッチ操作を受け付けるモードである場合には操作モードの切り替えを行なわない。
【００１７】
本発明の他の局面に従うと、情報処理装置は、プログラムを実行するための処理手段を備え、処理手段でのプログラムの実行処理に対する操作を受け付けるための入力装置に接続され、入力装置は、処理手段でのプログラムの実行処理に対する操作を受け付けるためのモードとして複数の操作モードを有し、処理手段でのプログラムの実行の段階に応じて、入力装置の操作モードを切り替えるための制御手段をさらに備える。
【００１８】
本発明のさらに他の局面に従うと、制御プログラムは、プログラムを実行するための処理装置に接続され、処理装置でのプログラムの実行処理に対する操作を受け付けるための入力手段を備えたコンピュータを制御するためのプログラムであって、入力手段は、処理装置でのプログラムの実行処理に対する操作を受け付けるためのモードとして複数の操作モードを有し、処理装置でのプログラムの実行の段階に応じた操作モードを特定するステップと、入力手段の操作モードを、特定された操作モードに切り替えるステップとを実行させる。
【００１９】
好ましくは、制御ステップは、入力手段の操作モードの切り替えを指示する操作を受け付けるステップと、受け付けた操作で指示された切り替え後の操作モードが、特定された操作モードである場合に受け付けた操作で指示された切り替えを行ない、特定された操作モードでない場合には受け付けた操作で指示された切り替えを行なわないステップとをさらに実行させる。
【発明の効果】
【００２０】
この発明によると、入力操作のためのモードを複数備えた情報処理装置において、操作モードを処理の段階に応じた適切な操作モードとすることができる。
【図面の簡単な説明】
【００２１】
【図１】本実施の形態にかかる電子機器の外観の具体例を示すイメージ図である。電子機器のハードウェア構成を表わすブロック図である。
【図２】電子機器のハードウェア構成を表わすブロック図である。
【図３】表示パネルの構成と当該表示パネルの周辺回路とを示した図である。
【図４】表示パネルとバックライトとの断面図である。
【図５】光センサ回路を動作させる際のタイミングチャートを示した図である。
【図６】スキャンの際にフォトダイオードがバックライトからの光を受光する構成を示した断面図である。
【図７】コマンドの概略構成を示した図である。
【図８】種別「０００」のコマンドを説明するための図である。
【図９】種別「００１」のコマンドを説明するための図である。
【図１０】種別「０１０」のコマンドを説明するための図である。
【図１１】種別「０１１」のコマンドを説明するための図である。
【図１２】種別「１００」のコマンドを説明するための図である。
【図１３】種別「１０１」のコマンドを説明するための図である。
【図１４】応答データの概略構成を示した図である。
【図１５】指をスキャンすることにより得られた画像（スキャン画像）を示した図である。
【図１６】スキャンの際にフォトダイオードが外光を受光する構成を示した断面図である。
【図１７】電子機器の機能構成の、第１の具体例を示すブロック図である。
【図１８】ステータスに応じた操作モードに自動的に切り替えるための、第１の具体例にかかる動作の具体例を示すフローチャートである。
【図１９】操作モードを管理するための、第１の具体例にかかる動作の具体例を示すフローチャートである。
【図２０】切替操作に応じて操作モードを切り替えるための、第１の具体例にかかる動作の具体例を示すフローチャートである。
【図２１】切替操作に応じて操作モードを切り替えるための、変形例にかかる動作の具体例を示すフローチャートである。
【図２２】操作モードを管理するための、変形例にかかる動作の具体例を示すフローチャートである。
【図２３】電子機器の機能構成の、第２の具体例を示すブロック図である。
【図２４】ステータスに応じた操作モードに自動的に切り替えるための、第２の具体例にかかる動作の具体例を示すフローチャートである。
【図２５】操作モードを管理するための、第２の具体例にかかる動作の具体例を示すフローチャートである。
【発明を実施するための形態】
【００２２】
以下に、図面を参照しつつ、本発明の実施の形態について説明する。以下の説明では、同一の部品および構成要素には同一の符号を付してある。それらの名称および機能も同じである。
【００２３】
＜電子機器１００の全体構成＞
図１（Ａ）を参照して、コンテンツ表示装置としての、本実施の形態にかかる電子機器１００は、第１の筐体１００Ａと第２の筐体１００Ｂとを含む。第１の筐体１００Ａと第２の筐体１００Ｂとは、ヒンジ１００Ｃにより折畳み可能に接続されている。第１の筐体１００Ａは、表示装置としての、第１の光センサ内蔵液晶パネル１４０（以下、第１の表示パネル１４０ともいう。）を含む。第２の筐体１００Ｂは、入力装置としての操作キー１７７と、入力装置および表示装置としての第２の光センサ内蔵液晶パネル２４０（以下、第２の表示パネル２４０ともいう。）とを含む。電子機器１００は、ＰＤＡ（Personal Digital Assistant）、ノート型のパーソナルコンピュータ、携帯型電話機、電子辞書などの、表示機能を有する携帯型デバイスである。
【００２４】
電子機器１００は、第１の表示パネル１４０を用いてテキストや画像などのコンテンツを表示するとともに、操作キー１７７および第２の表示パネル２４０を介してユーザからの操作命令を受け付ける。第２の表示パネル２４０は、第１の表示パネル１４０に表示されるポインタを移動させるための命令や、第１の表示パネル１４０に表示されるコンテンツなどの表示を制御するための命令を受け付ける。
【００２５】
図１（Ａ）においては、第２の表示パネル２４０が第２の筐体１００Ｂに含まれる例が示されており、以降、電子機器１００が図１（Ａ）の構成であるものとして説明するが、他の例として、図１（Ｂ）に示されるように、第２の表示パネル２４０を別体とし、たとえばＵＳＢ（Universal Serial Bus）ケーブルを介した通信や無線通信などで電子機器１００と通信する構成であってもよい。
【００２６】
なお、第１の表示パネル１４０は、光センサ内蔵液晶パネルである必要はなく、コンテンツが表示可能なディスプレイであればよい。第２の表示パネル２４０は、ユーザによるタッチ操作を検出できる必要があるため、タブレット機能を有するタッチパネルや、光センサ内蔵液晶パネルであることが好ましい。
【００２７】
入力装置としての第２の表示パネル２４０は、操作モードとして、ポインティングデバイスとして機能し、ユーザの第２の表示パネル２４０上で指を移動させる操作により、カーソルの移動のようなポインティング操作を実現する操作モードと、ユーザの第２の表示パネル２４０における表示処理に対してタッチにより対応する処理を実現する操作モードとを有する。なお、マウス操作モードにおける第２の表示パネルの機能としては、第２の表示パネルを備えておらず、タッチ操作モードを有さない電子機器における操作パネル（タッチパッド等）と同様のものが考えられる。以降の説明においては、前者の操作モードをマウス操作モード、後者の操作モードをタッチ操作モードと称する。以降の説明では、一例として、第１の表示パネル１４０に表示される処理に対してはマウス操作モードでの操作入力が可能であり、第２の表示パネル２４０に表示される処理に対してはタッチ操作モードでの操作入力が可能であるものとする。しかしながら、第１の表示パネル１４０に表示される処理に対して、タッチ操作モードでも操作入力が可能であってもよいし、第２の表示パネル２４０に表示される処理に対してマウス操作モードでも操作入力が可能であってもよい。
【００２８】
電子機器１００は、さらに、これら操作モードを現在の操作モードから他方の操作モードに切り替えるための切替ボタン２７０を含む。図１（Ａ），図１（Ｂ）において、切替ボタン２７０が第２の筐体１００Ｂに含まれる例が示されているが、第１の筐体１００Ａに含まれていてもよい。または、操作キー１７７のうちのいずれかのキーであってもよいし、切替ボタン２７０に替えて操作キー１７７のうちのキーを用いて所定の操作を行なうことで切り替えが実現されてもよい。または、切替ボタン２７０に替えて第２の表示パネル２４０を用いて所定の操作を行なうことで切り替えが実現されてもよい。
【００２９】
＜電子機器１００のハードウェア構成＞
図２を参照して、電子機器１００の具体的構成の一態様について説明する。図２は、電子機器１００のハードウェア構成の具体例を表わすブロック図である。
【００３０】
電子機器１００は、第１ユニット１００１（メイン装置）と、第２ユニット１００２とを含む。第２ユニット１００２は、電子機器１００から着脱可能に第１ユニット１００１に接続されている。第１ユニット１００１は、本体装置１０１と、表示装置１０２とを含む。第２ユニット１００２は、表示装置１０３と、本体装置１０４とを含む。
【００３１】
第１の筐体１００Ａは、表示装置１０２を含む。第２の筐体１００Ｂは、本体装置１０１を含む。また、第２の筐体１００Ｂは、第２ユニット１００２を含む。
【００３２】
（第１ユニットについて）
本体装置１０１は、ＣＰＵ（Central Processing Unit）１１０と、ＲＡＭ（Random Access Memory）１７１と、ＲＯＭ（Read-Only Memory）１７２と、メモリカードリーダライタ１７３と、外部通信部１７４と、マイク１７５と、スピーカ１７６と、操作キー１７７と、電源スイッチ１９１と、電源回路１９２と、電源検出部１９３と、ＵＳＢコネクタ１９４と、アンテナ１９５と、ＬＡＮ（Local Area Network）コネクタ１９６とを含む。各構成要素（１１０，１７１〜１７７，１９３）は、相互にデータバスＤＢ１によって接続されている。メモリカードリーダライタ１７３には、メモリカード１７３１が装着される。
【００３３】
ＣＰＵ１１０は、プログラムを実行する。操作キー１７７は、電子機器１００の使用者による指示の入力を受ける。ＲＡＭ１７１は、ＣＰＵ１１０によるプログラムの実行により生成されたデータ、または操作キー１７７を介して入力されたデータを揮発的に格納する。ＲＯＭ１７２は、データを不揮発的に格納する。また、ＲＯＭ１７２は、ＥＰＲＯＭ（Erasable Programmable Read-Only Memory）やフラッシュメモリなどのデータの書き込みおよび消去が可能なＲＯＭである。
【００３４】
外部通信部１７４は、他の電子機器と通信を行なう。具体的には、外部通信部１７４は、ＵＳＢコネクタ１９４を介して、たとえば第２ユニット１００２と通信を行なう。また、外部通信部１７４は、アンテナ１９５を介して、たとえば第２ユニット１００２と無線通信を行なう。さらに、外部通信部１７４は、ＬＡＮコネクタ１９６を介して、他の電子機器との間で有線通信を行なう。
【００３５】
なお、本体装置１０１は、Ｂｌｕｅｔｏｏｔｈ（登録商標）以外の無線通信により、他の電子機器と通信を行なってもよい。たとえば、外部通信部１７４は、図示しない無線ＬＡＮアンテナを介して、ＬＡＮに接続された他の電子機器との間で無線通信を行なってもよい。あるいは、図示しない赤外線ポートを介して、他の電子機器との間で無線通信を行なってもよい。
【００３６】
電源スイッチ１９１は、電子機器１００を起動させるためのスイッチである。
電源スイッチ１９１がオンすると、電源回路１９２は、電源検出部１９３を介して、データバスＤＢ１に接続されている各構成要素と表示装置１０２とに電力を供給する。また、電源スイッチ１９１がオンすると、電源回路１９２は、電源検出部１９３を介することなく、外部通信部１７４に電力を供給する。
【００３７】
電源検出部１９３は、電源回路１９２からの出力を検出する。また、電源検出部１９３は、当該検出した出力に関する情報（たとえば、電圧値や電流値）を、ＣＰＵ１１０に送る。
【００３８】
ＵＳＢコネクタ１９４は、第１ユニット１００１を第２ユニット１００２に接続するために用いられる。なお、本体装置１０１は、ＵＳＢコネクタ１９４に加えて他のＵＳＢコネクタを備えていてもよい。
【００３９】
第１ユニット１００１は、ＵＳＢコネクタ１９４を介して、第２ユニット１００２にデータを送信する。また、第１ユニット１００１は、ＵＳＢコネクタ１９４を介して、第２ユニット１００２からデータを受信する。さらに、第１ユニット１００１は、ＵＳＢコネクタ１９４を介して、第２ユニット１００２に電力を供給する。
【００４０】
アンテナ１９５は、第１ユニット１００１と、他の通信装置（たとえば第２ユニット１００２）との間における、Ｂｌｕｅｔｏｏｔｈ（登録商標）の規格に沿った通信に用いられる。ＬＡＮコネクタ１９６は、電子機器１００をＬＡＮに接続するために用いられる。
【００４１】
表示装置１０２は、ドライバ１３０と、光センサ内蔵液晶パネル１４０（以下、表示パネル１４０と称する）と、内部ＩＦ１７８と、バックライト１７９と、画像処理エンジン１８０とを含む。
【００４２】
ドライバ１３０は、表示パネル１４０およびバックライト１７９を駆動するための駆動回路である。ドライバ１３０に含まれる各種の駆動回路については、後述する。
【００４３】
表示パネル１４０は、液晶ディスプレイの機能と光センサの機能とを備えたデバイスである。つまり、表示パネル１４０は、液晶を用いた画像の表示と、光センサを用いたセンシングとを行なうことができる。表示パネル１４０の詳細については、後述する。
【００４４】
内部ＩＦ（Interface）１７８は、本体装置１０１と表示装置１０２との間で、データの遣り取りを仲介する。
【００４５】
バックライト１７９は、表示パネル１４０の裏面に配置された光源である。バックライト１７９は、当該裏面に対して均一な光を照射する。
【００４６】
画像処理エンジン１８０は、ドライバ１３０を介して表示パネル１４０の動作を制御する。ここで、当該制御は、内部ＩＦ１７８を介して本体装置１０１から送られてくる各種データに基づいて行なわれる。なお、当該各種データは、後述するコマンドを含む。また、画像処理エンジン１８０は、表示パネル１４０から出力されるデータを処理し、処理したデータを内部ＩＦ１７８を介して本体装置１０１に送る。さらに、画像処理エンジン１８０は、ドライバ制御部１８１と、タイマ１８２と、信号処理部１８３とを含む。
【００４７】
ドライバ制御部１８１は、ドライバ１３０に対して制御信号を送ることによりドライバ１３０の動作を制御する。また、ドライバ制御部１８１は、本体装置１０１から送られてくるコマンドを解析する。そして、ドライバ制御部１８１は、当該解析の結果に基づいた制御信号をドライバ１３０に送る。ドライバ１３０の動作の詳細については、後述する。
【００４８】
タイマ１８２は、時刻情報を生成し、信号処理部１８３に対して時刻情報を送る。
信号処理部１８３は、上記光センサから出力されるデータを受け取る。ここで、上記光センサから出力されるデータはアナログデータであるため、信号処理部１８３は、まず当該アナログデータをデジタルデータに変換する。さらに、信号処理部１８３は、当該デジタルデータに対して、本体装置１０１から送られてくるコマンドの内容に応じたデータ処理を行なう。そして、信号処理部１８３は、上記データ処理を行なった後のデータと、タイマ１８２から取得した時刻情報とを含んだデータ（以下、応答データと称する）を本体装置１０１に送る。また、信号処理部１８３は、後述するスキャンデータを連続して複数格納できるＲＡＭ（図示せず）を備えている。
【００４９】
上記コマンドは、上記光センサによりセンシングを指示するセンシングコマンドを含む。当該センシングコマンドの詳細および上記応答データの詳細については、後述する。
【００５０】
なお、タイマ１８２は、必ずしも画像処理エンジン１８０に備えられている必要はない。たとえば、タイマ１８２は、表示装置１０２内における、画像処理エンジン１８０の外部に備えられていてもよい。あるいは、タイマ１８２は、本体装置１０１に備えられていてもよい。また、マイク１７５およびスピーカ１７６は、電子機器１００が常に備える構成ではなく、電子機器１００の実施例によっては、マイク１７５およびスピーカ１７６のいずれかあるいは両方を有さない構成であってもよい。
【００５１】
ここで、表示装置１０２は、システム液晶を含んでいる。なお、システム液晶とは、表示パネル１４０の周辺機器を当該表示パネル１４０のガラス基板上に一体形成することにより得られるデバイスである。本実施の形態では、ドライバ１３０（バックライト１７９を駆動する回路を除く）と、内部ＩＦ１７８と、画像処理エンジン１８０とが、表示パネル１４０のガラス基板上に一体形成されている。なお、表示装置１０２が、必ずしもシステム液晶を用いて構成されている必要はなく、ドライバ１３０（バックライト１７９を駆動する回路を除く）と、内部ＩＦ１７８と、画像処理エンジン１８０とが、上記ガラス基板以外の基板に構成されていてもよい。
【００５２】
（第２ユニットについて）
第２ユニット１００２は、第１ユニット１００１から電力の供給を受ける。具体的には、後述するＵＳＢコネクタ２９４と第１ユニット１００１のＵＳＢコネクタ２９４とを接続することにより、第２ユニット１００２は、第１ユニット１００１の電源回路１９２から電力の供給を受ける。
【００５３】
本体装置１０４は、ＣＰＵ２１０と、ＲＡＭ２７１と、ＲＯＭ２７２と、外部通信部２７４と、電源検出部２９３と、ＵＳＢコネクタ２９４と、アンテナ２９５と、信号強度検出部２９７とを含む。各構成要素（２１０，２７１，２７２，２７４，２９３）は、相互にデータバスＤＢ２によって接続されている。
【００５４】
ＣＰＵ２１０は、プログラムを実行する。ＲＡＭ２７１は、ＣＰＵ２１０によるプログラムの実行により生成されたデータを揮発的に格納する。ＲＯＭ２７２は、データを不揮発的に格納する。また、ＲＯＭ２７２は、ＥＰＲＯＭ（Erasable Programmable Read-Only Memory）やフラッシュメモリなどのデータの書き込みおよび消去が可能なＲＯＭである。
【００５５】
外部通信部２７４は、他の電子機器との間で通信を行なう。具体的には、外部通信部２７４は、ＵＳＢコネクタ２９４を介して、たとえば第１ユニット１００１と通信を行なう。また、外部通信部２７４は、アンテナ２９５を介して、たとえば第１ユニット１００１と通信を行なう。
【００５６】
なお、本体装置１０４は、Ｂｌｕｅｔｏｏｔｈ（登録商標）以外の無線通信により、他の電子機器（たとえば、第１ユニット１００１）と通信を行なってもよい。たとえば、外部通信部２７４は、図示しない赤外線ポートを介して、他の電子機器との間で無線通信を行なってもよい。
【００５７】
信号強度検出部２９７は、アンテナ２９５を介して受信した信号についての強度を検出する。そして、信号強度検出部２９７は、検出した強度を外部通信部２７４に送る。
【００５８】
ＵＳＢコネクタ１９４は、第２ユニット１００２を第１ユニット１００１に接続するために用いられる。
【００５９】
第２ユニット１００２は、ＵＳＢコネクタ２９４を介して、第１ユニット１００１にデータを送信する。また、第２ユニット１００２は、ＵＳＢコネクタ２９４を介して、第１ユニット１００１からデータを受信する。さらに、第２ユニット１００２は、上述したように、ＵＳＢコネクタ２９４を介して、第１ユニット１００１から電力の供給を受ける。なお、第２ユニット１００２は、第１ユニット１００１から供給された電力を、図示しないバッテリに蓄電する。
【００６０】
アンテナ２９５は、第２ユニット１００２と、たとえば第１ユニット１００１との間における、Ｂｌｕｅｔｏｏｔｈ（登録商標）の規格に沿った通信に用いられる。
【００６１】
電源検出部１９３は、ＵＳＢコネクタ２９４を介して給電された電力を検出する。また、電源検出部１９３は、当該検出した電力についての情報を、ＣＰＵ２１０に送る。
【００６２】
また、本体装置１０４は、赤外線通信を行なう機能を備えていてもよい。
表示装置１０３は、ドライバ２３０と、光センサ内蔵液晶パネル２４０（以下、「表示パネル２４０」と称する）と、内部ＩＦ２７８と、バックライト２７９と、画像処理エンジン２８０とを含む。画像処理エンジン２８０は、ドライバ制御部２８１と、タイマ２８２と、信号処理部２８３とを含む。
【００６３】
表示装置１０３は、表示装置１０２と同様な構成を有する。つまり、ドライバ２３０、表示パネル２４０、内部ＩＦ２７８、バックライト２７９、および画像処理エンジン２８０は、表示装置１０２における、ドライバ１３０、表示パネル１４０、内部ＩＦ１７８、バックライト１７９、画像処理エンジン１８０と同じ構成をそれぞれ有する。ドライバ制御部２８１、タイマ２８２、および信号処理部２８３は、表示装置１０２における、ドライバ制御部１８１、タイマ１８２、信号処理部１８３と同じ構成をそれぞれ有する。したがって、表示装置１０３に含まれる各機能ブロックについての説明は、繰り返さない。
【００６４】
ところで、電子機器１００における処理は、各ハードウェアおよびＣＰＵ１１０により実行されるソフトウェアによって実現される。このようなソフトウェアは、ＲＯＭ１７２に予め記憶されている場合がある。また、ソフトウェアは、メモリカード１７３１その他の記憶媒体に格納されて、プログラム製品として流通している場合もある。あるいは、ソフトウェアは、いわゆるインターネットに接続されている情報提供事業者によってダウンロード可能なプログラム製品として提供される場合もある。このようなソフトウェアは、メモリカードリーダライタ１７３その他の読取装置によりその記憶媒体から読み取られて、あるいは、外部通信部１７４または通信ＩＦ（図示せず）を介してダウンロードされた後、ＲＯＭ１７２に一旦格納される。そのソフトウェアは、ＣＰＵ１１０によってＲＯＭ１７２から読み出され、ＲＡＭ１７１に実行可能なプログラムの形式で格納される。ＣＰＵ１１０は、そのプログラムを実行する。
【００６５】
図２に示される電子機器１００の本体装置１０１を構成する各構成要素は、一般的なものである。したがって、本発明の本質的な部分は、ＲＡＭ１７１、ＲＯＭ１７２、メモリカード１７３１その他の記憶媒体に格納されたソフトウェア、あるいはネットワークを介してダウンロード可能なソフトウェアであるともいえる。なお、電子機器１００の本体装置１０１のハードウェアの動作は周知であるので、詳細な説明は繰り返さない。
【００６６】
なお、記憶媒体としては、メモリカードに限られず、ＣＤ−ＲＯＭ、ＦＤ（Flexible Disk）、ハードディスク、磁気テープ、カセットテープ、光ディスク（ＭＯ（Magnetic Optical Disk）／ＭＤ（Mini Disk）／ＤＶＤ（Digital Versatile Disk））、ＩＣ（Integrated Circuit）カード（メモリカードを除く）、光カード、マスクＲＯＭ、ＥＰＲＯＭ、ＥＥＰＲＯＭ（Electronically Erasable Programmable Read-Only Memory）、フラッシュＲＯＭなどの半導体メモリ等の固定的にプログラムを格納する媒体でもよい。
【００６７】
ここでいうプログラムとは、ＣＰＵにより直接実行可能なプログラムだけでなく、ソースプログラム形式のプログラム、圧縮処理されたプログラム、暗号化されたプログラム等を含む。
【００６８】
＜光センサ内蔵液晶パネルの構成および駆動について＞
次に、表示パネル１４０の構成と、当該表示パネル１４０の周辺回路の構成とについて説明する。図３は、表示パネル１４０の構成と、当該表示パネル１４０の周辺回路とを示した図である。
【００６９】
図を参照して、表示パネル１４０は、画素回路１４１と、光センサ回路１４４と、走査信号線Ｇｉと、データ信号線ＳＲｊと、データ信号線ＳＧｊと、データ信号線ＳＢｊと、センサ信号線ＳＳｊと、センサ信号線ＳＤｊと、読出信号線ＲＷｉと、リセット信号線ＲＳｉとを含む。なお、ｉは、１≦ｉ≦ｍを満たす自然数であり、ｊは１≦ｊ≦ｎを満たす自然数である。
【００７０】
また、図２に示した表示装置１０２のドライバ１３０は、表示パネル１４０の周辺回路として、走査信号線駆動回路１３１と、データ信号線駆動回路１３２と、光センサ駆動回路１３３と、スイッチ１３４と、アンプ１３５とを含む。
【００７１】
走査信号線駆動回路１３１は、図２に示すドライバ制御部１８１から制御信号ＴＣ１を受ける。そして、走査信号線駆動回路１３１は、制御信号ＴＣ１に基づき、各走査信号線（Ｇ１〜Ｇｍ）に対して、走査信号線Ｇ１から順に予め定められた電圧を印加する。より詳しくは、走査信号線駆動回路１３１は、単位時間毎に走査信号線（Ｇ１〜Ｇｍ）の中から１つの走査信号線を順次選択し、当該選択した走査信号線に対して後述するＴＦＴ（Thin Film Transistor）１４２のゲートをターンオンできるだけの電圧（以下、ハイレベル電圧）を印加する。なお、選択されていない走査信号線に対しては、ハイレベル電圧を印加することなく、ローレベル電圧を印加したままとする。
【００７２】
データ信号線駆動回路１３２は、図２に示すドライバ制御部１８１から画像データ（ＤＲ，ＤＧ，ＤＢ）を受ける。そして、データ信号線駆動回路１３２は、３ｎ個のデータ信号線（ＳＲ１〜ＳＲｎ，ＳＧ１〜ＳＧｎ，ＳＢ１〜ＳＢｎ）に対して、上記単位時間毎に、１行分の画像データに対応する電圧を順次印加する。
【００７３】
なお、ここでは、いわゆる線順次方式と呼ばれる駆動方式を用いて説明したが、駆動方式はこれに限定されるものではない。
【００７４】
画素回路１４１は、１つの画素の輝度（透過率）を設定するための回路である。また、画素回路１４１は、マトリクス状にｍ×ｎ個配されている。より詳しくは、画素回路１４１は、図３の縦方向にｍ個、横方向にｎ個配されている。
【００７５】
画素回路１４１は、Ｒサブピクセル回路１４１ｒと、Ｇサブピクセル回路１４１ｇと、Ｂサブピクセル回路１４１ｂとからなる。これら３つの回路（１４１ｒ，１４１ｇ，１４１ｂ）は、それぞれ、ＴＦＴ１４２と、画素電極と対向電極とからなる１組の電極対１４３と、図示しないコンデンサとを含む。
【００７６】
なお、ｎ型のトランジスタとｐ型のトランジスタとを作れるＣＭＯＳ（Complementary Metal Oxide Semiconductor）を実現できること、キャリア（電子または正孔）の移動速度がアモルファスシリコン薄膜トランジスタ（a-Si TFT）に比べて数百倍早いことなどから、表示装置１０２では、ＴＦＴ１４２として多結晶シリコン薄膜トランジスタ(p-Si TFT)が用いられる。なお、ＴＦＴ１４２は、ｎ型チャネルの電界効果トランジスタであるとして説明する。ただし、ＴＦＴ１４２がｐ型チャネルの電界効果トランジスタであってもよい。
【００７７】
Ｒサブピクセル回路１４１ｒ内のＴＦＴ１４２のソースはデータ信号線ＳＲｊに接続されている。また、当該ＴＦＴ１４２のゲートは走査信号線Ｇｉに接続されている。さらに、当該ＴＦＴ１４２のドレインは、電極対１４３の画素電極に接続される。そして、画素電極と対向電極との間には、液晶が配される。なお、Ｇサブピクセル回路１４１ｇおよびＢサブピクセル回路１４１ｂについても、各ＴＦＴ１４２のソースが接続されるデータ信号線が異なる以外は、Ｒサブピクセル回路１４１ｒと同じ構成である。このため、これら２つの回路（１４１ｇ，１４１ｂ）についての説明は、繰り返さない。
【００７８】
ここで、画素回路１４１における輝度の設定について説明する。まず、走査信号線Ｇｉに上記ハイレベル電圧を印加する。当該ハイレベル電圧の印加により、ＴＦＴ１４２のゲートがターンオンする。このようにＴＦＴ１４２のゲートがターンオンした状態で、各データ信号線（ＳＲｊ，ＳＧｊ，ＳＢｊ）に対して、それぞれ指定された電圧（１画素分の画像データに対応する電圧）を印加する。これにより、当該指定された電圧に基づいた電圧が画素電極に印加される。その結果、画素電極と対向電極との間に電位差が生じる。この電位差に基づいて、液晶が応答し、画素の輝度は予め定められた輝度に設定される。なお、当該電位差は、上記図示しないコンデンサ（補助容量）によって、次のフレーム期間において走査信号線Ｇｉが選択されるまで保持される。
【００７９】
光センサ駆動回路１３３は、図２に示すドライバ制御部１８１から制御信号ＴＣ２を受ける。
【００８０】
そして、光センサ駆動回路１３３は、制御信号ＴＣ２に基づき、単位時間毎にリセット信号線（ＲＳ１〜ＲＳｍ）の中から１つの信号線を順次選択し、当該選択した信号線に対して、予め定められたタイミングで通常よりもハイレベルな電圧ＶＤＤＲを印加する。なお、選択されていないリセット信号線に対しては、選択されたリセット信号線に印加した電圧よりも低い電圧ＶＳＳＲを印加したままとする。たとえば、電圧ＶＤＤＲを０Ｖに、電圧ＶＳＳＲを−５Ｖに設定すればよい。
【００８１】
また、光センサ駆動回路１３３は、制御信号ＴＣ２に基づき、単位時間毎に読出信号線（ＲＷ１〜ＲＷｍ）の中から１つの信号線を順次選択し、当該選択した信号線に対して、予め定められたタイミングで通常よりもハイレベルな電圧ＶＤＤを印加する。なお、選択されていない読出信号線に対しては、上記電圧ＶＳＳＲを印加したままとする。たとえば、ＶＤＤの値を８Ｖに設定すればよい。
【００８２】
なお、電圧ＶＤＤＲを印加するタイミング、および電圧ＶＤＤを印加するタイミングについては、後述する。
【００８３】
光センサ回路１４４は、フォトダイオード１４５と、コンデンサ１４６と、ＴＦＴ１４７とを含む。なお、以下では、ＴＦＴ１４７がｎ型チャネルの電界効果トランジスタであるとして説明する。ただし、ＴＦＴ１４７がｐ型チャネルの電界効果トランジスタであってもよい。
【００８４】
フォトダイオード１４５のアノードは、リセット信号線ＲＳｉに接続されている。一方、フォトダイオード１４５のカソードは、コンデンサ１４６の一方の電極に接続されている。また、コンデンサ１４６の他方の電極は、読出信号線ＲＷｉに接続されている。なお、以下では、フォトダイオード１４５とコンデンサ１４６との接続点をノードＮと称する。
【００８５】
ＴＦＴ１４７のゲートは、ノードＮに接続されている。また、ＴＦＴ１４７のドレインは、センサ信号線ＳＤｊに接続されている。さらに、ＴＦＴ１４７のソースは、センサ信号線ＳＳｊに接続されている。光センサ回路１４４を用いたセンシングの詳細については、後述する。
【００８６】
スイッチ１３４は、センサ信号線（ＳＤ１〜ＳＤｎ）に対して、予め定められた電圧を印加するか否かを切り替えるために設けられたスイッチである。スイッチ１３４の切り替え動作は、光センサ駆動回路１３３により行なわれる。なお、スイッチ１３４が導通状態となった場合にセンサ信号線（ＳＤ１〜ＳＤｎ）に印加される電圧については、後述する。
【００８７】
アンプ１３５は、各センサ信号線（ＳＳ１〜ＳＳｎ）から出力された電圧を増幅する。なお、増幅された電圧は、図２に示した信号処理部１８３に送られる。
【００８８】
なお、画素回路１４１を用いて画像を表示パネル１４０に表示させるタイミングと、光センサ回路１４４を用いてセンシングするタイミングとについては、画像処理エンジン１８０が制御する。
【００８９】
図４は、表示パネル１４０とバックライト１７９との断面図である。図を参照して、表示パネル１４０は、アクティブマトリクス基板１５１Ａと、対向基板１５１Ｂと、液晶層１５２とを含む。対向基板１５１Ｂは、アクティブマトリクス基板１５１Ａに対向して配されている。液晶層１５２は、アクティブマトリクス基板１５１Ａと対向基板１５１Ｂとに挟まれている。バックライト１７９は、アクティブマトリクス基板１５１Ａに関し液晶層１５２と反対側に配されている。
【００９０】
アクティブマトリクス基板１５１Ａは、偏光フィルタ１６１と、ガラス基板１６２と、電極対１４３を構成する画素電極１４３ａと、フォトダイオード１４５と、データ信号線１５７と、配向膜１６４とを含む。さらに、図４には示していないが、アクティブマトリクス基板１５１Ａは、図３に示した、コンデンサ１４６と、ＴＦＴ１４７と、ＴＦＴ１４２と、走査信号線Ｇｉとを含む。
【００９１】
また、アクティブマトリクス基板１５１Ａにおいては、バックライト１７９側から、偏光フィルタ１６１、ガラス基板１６２、画素電極１４３ａ、および配向膜１６４が、この順に配されている。フォトダイオード１４５とデータ信号線１５７とは、ガラス基板１６２の液晶層１５２側に形成されている。
【００９２】
対向基板１５１Ｂは、偏光フィルタ１６１と、ガラス基板１６２と、遮光膜１６３と、カラーフィルタ（１５３ｒ，１５３ｇ，１５３ｂ）と、電極対１４３を構成する対向電極１４３ｂと、配向膜１６４とを含む。
【００９３】
また、対向基板１５１Ｂにおいては、液晶層１５２側から、配向膜１６４、対向電極１４３ｂ、カラーフィルタ（１５３ｒ，１５３ｇ，１５３ｂ）、ガラス基板１６２、および偏光フィルタ１６１が、この順に配されている。遮光膜１６３は、カラーフィルタ（１５３ｒ，１５３ｇ，１５３ｂ）と同一の層に形成されている。
【００９４】
カラーフィルタ１５３ｒは、赤色の波長の光を透過させるフィルタである。カラーフィルタ１５３ｇは、緑色の波長の光を透過させるフィルタである。カラーフィルタ１５３ｂは、青色の波長の光を透過させるフィルタである。ここで、フォトダイオード１４５は、カラーフィルタ１５３ｂに対向する位置に配されている。
【００９５】
表示パネル１４０は、外光やバックライト１７９などの光源により発せられた光を遮ったりまたは当該光を透過させたりすることによって、画像の表示をする。具体的には、表示パネル１４０は、画素電極１４３ａと対向電極１４３ｂとの間に電圧を印加することにより液晶層１５２の液晶分子の向きを変化させ、上記光を遮ったり、あるいは透過させたりする。ただし、液晶だけでは光を完全に遮ることができないため、特定の偏光方向の光のみを透過させる偏光フィルタ１６１を配置している。
【００９６】
なお、フォトダイオード１４５の位置は、上記の位置に限定されるものではなく、カラーフィルタ１５３ｒに対向する位置やカラーフィルタ１５３ｇに対向する位置に設けることも可能である。
【００９７】
ここで、光センサ回路１４４の動作について説明する。図５は、光センサ回路１４４を動作させる際のタイミングチャートを示した図である。図５において、電圧ＶＩＮＴは、光センサ回路１４４内のノードＮにおける電位を示している。また、電圧ＶＰＩＸは、図３に示したセンサ信号線ＳＳｊからの出力電圧であって、アンプ１３５によって増幅される前の電圧を示している。
【００９８】
以下では、光センサ回路１４４をリセットするためのリセット期間と、光センサ回路１４４を用いて光をセンシングするためのセンシング期間と、センシングした結果を読み出す読出期間とに分けて説明する。
【００９９】
まず、リセット期間について説明する。リセット期間においては、リセット信号線ＲＳｉに印加する電圧を、ローレベル（電圧ＶＳＳＲ）からハイレベル（電圧ＶＤＤＲ）へと瞬間的に切り替える。一方、読出信号線ＲＷｉに印加する電圧は、ローレベル（電圧ＶＳＳＲ）のままとする。このように、リセット信号線ＲＳｉに上記ハイレベルの電圧を印加することにより、フォトダイオード１４５の順方向（アノード側からカソード側）に電流が流れ始める。その結果、ノードＮの電位である電圧ＶＩＮＴは、以下の式（１）で示す値となる。なお、式（１）では、フォトダイオード１４５における順方向の電圧降下量をＶｆとしている、
ＶＩＮＴ＝ＶＳＳＲ＋｜ＶＤＤＲ−ＶＳＳＲ｜−Ｖｆ  …  （１）。
【０１００】
それゆえ、ノードＮの電位は、図１３に示すとおり、電圧ＶＤＤＲよりもＶｆだけ小さな値となる。
【０１０１】
ここで、電圧ＶＩＮＴは、ＴＦＴ１４７のゲートをターンオンさせるしきい値以下であるため、センサ信号線ＳＳｊからの出力はない。このため、電圧ＶＰＩＸは変化しない。また、コンデンサ１４６の電極間には、上記電圧ＶＩＮＴ分の差が生じる。このため、コンデンサ１４６には、当該差に応じた電荷が蓄積される。
【０１０２】
次に、センシング期間について説明する。リセット期間に続くセンシング期間においては、リセット信号線ＲＳｉに印加する電圧は、ハイレベル（電圧ＶＤＤＲ）からローレベル（電圧ＶＳＳＲ）へと瞬間的に切り替わる。一方、読出信号線ＲＷｉに印加する電圧は、ローレベル（電圧ＶＳＳＲ）のままとする。
【０１０３】
このように、リセット信号線ＲＳｉに印加する電圧をローレベルに変化させることにより、ノードＮの電位は、リセット信号線ＲＳｉの電圧および読出信号線ＲＷｉの電圧よりも高くなる。このため、フォトダイオード１４５においては、カソード側の電圧がアノード側の電圧よりも高くなる。つまり、フォトダイオード１４５は、逆バイアスの状態となる。このような逆バイアスの状態において、光源からの光をフォトダイオード１４５が受光すると、フォトダイオード１４５のカソード側からアノード側へと電流が流れ始める。その結果、図５に示すとおり、ノードＮの電位（つまり、電圧ＶＩＮＴ）は時間の経過とともに低くなる。
【０１０４】
なお、このように電圧ＶＩＮＴが低下し続けるため、ＴＦＴ１４７のゲートはターンオンした状態にはならない。それゆえ、センサ信号線ＳＳｊからの出力はない。このため、電圧ＶＰＩＸは変化しない。
【０１０５】
次に、読出期間について説明する。センシング期間に続く読出期間においては、リセット信号線ＲＳｉに印加する電圧をローレベル（電圧ＶＳＳＲ）のままとする。一方、読出信号線ＲＷｉに印加する電圧は、ローレベル（電圧ＶＳＳＲ）からハイレベル（電圧ＶＤＤ）へと瞬間的に切り替わる。ここで、電圧ＶＤＤは、電圧ＶＤＤＲよりも高い値である。
【０１０６】
このように、読出信号線ＲＷｉにハイレベルの電圧を瞬間的に印加することにより、図５に示すとおり、コンデンサ１４６を介してノードＮの電位が引き上げられる。なお、ノードＮの電位の上昇幅は、読出信号線ＲＷｉに印加する電圧に応じた値となる。ここで、ノードＮの電位（つまり、電圧ＶＩＮＴ）が、ＴＦＴ１４７のゲートをターンオンさせる閾値以上まで引き上げられるため、ＴＦＴ１４７のゲートがターンオンする。
【０１０７】
この際、ＴＦＴ１４７のドレイン側に接続されたセンサ信号線ＳＤｊ（図３参照）に予め一定電圧を印加しておけば、ＴＦＴ１４７のソース側に接続されたセンサ信号線ＳＳｊからは、図５のＶＰＩＸのグラフに示すとおり、ノードＮの電位に応じた電圧が出力される。
【０１０８】
ここで、フォトダイオード１４５が受光する光の量（以下、受光量と称する）が少ないと、図５のＶＩＮＴのグラフに示す直線の傾きが緩やかになる。その結果、電圧ＶＰＩＸは、受光量が多い場合に比べて高くなる。このように、光センサ回路１４４は、フォトダイオード１４５の受光量に応じて、センサ信号線ＳＳｊに出力する電圧の値を変化させる。
【０１０９】
ところで、上記においては、ｍ×ｎ個存在する光センサ回路のうち、１つの光センサ回路１４４に着目して、その動作を説明した。以下では、表示パネル１４０における各光センサ回路の動作について説明する。
【０１１０】
まず、光センサ駆動回路１３３は、ｎ個のセンサ信号線（ＳＤ１〜ＳＤｎ）の全てに対して、予め定められた電圧を印加する。次に、光センサ駆動回路１３３は、リセット信号線ＲＳ１に対して、通常よりもハイレベルな電圧ＶＤＤＲを印加する。なお、他のリセット信号線（ＲＳ２〜ＲＳｍ）および読出信号線（ＲＷ１〜ＲＷｍ）については、ローレベルの電圧を印加したままの状態とする。これにより、図３における１行目のｎ個の光センサ回路が、上述したリセット期間に入る。その後、１行目のｎ個の光センサ回路は、センシング期間に入る。さらに、その後、１行目のｎ個の光センサ回路は、読出期間に入る。
【０１１１】
なお、ｎ個のセンサ信号線（ＳＤ１〜ＳＤｎ）の全てに対して予め定められた電圧を印加するタイミングは、上記のタイミングに限定されず、少なくとも読出期間前に印加されるタイミングであればよい。
【０１１２】
１行目のｎ個の光センサ回路の読出期間が終了すると、光センサ駆動回路１３３は、リセット信号線ＲＳ２に対して、通常よりもハイレベルな電圧ＶＤＤＲを印加する。つまり、２行目のｎ個の光センサ回路のリセット期間に入る。リセット期間が終了すると、２行目のｎ個の光センサ回路は、センシング期間に入り、その後は、読出期間に入る。
【０１１３】
以降は、上述した処理が、順に、３行目のｎ個の光センサ回路、４行目のｎ個の光センサ回路、…ｍ行目のｎ個の光センサ回路に対して行なわれる。その結果、センサ信号線（ＳＳ１〜ＳＳｎ）からは、１行目のセンシング結果、２行目のセンシング結果、…、ｍ行目のセンシング結果が、この順に出力される。
【０１１４】
なお、表示装置１０２においては、上記のように行毎にセンシングが行なわれるとともに、行毎にセンシング結果が表示パネル１４０から出力される。このため、以下では、表示パネル１４０から出力される１行目からｍ行目までのｍ行分の電圧に関するデータに対して、信号処理部１８３が上述したデータ処理を行なった後のデータを、「スキャンデータ」と称する。つまり、スキャンデータとは、スキャン対象物（たとえば、ユーザの指）をスキャンすることにより得られる画像データを指す。また、当該スキャンデータに基づいて表示された画像を、「スキャン画像」と称する。さらに、以下では、センシングを「スキャン」と称する。
【０１１５】
また、上記においては、ｍ×ｎ個の光センサ回路全てを用いてスキャンを行なう構成を例に挙げたが、これに限定されるものではない。予め選択された光センサ回路を用いて、表示パネル１４０の表面の一部の領域に関してスキャンを行なうことも構成としてもよい。
【０１１６】
以下では、電子機器１００が、両構成のいずれの構成をも採れるものとする。さらに、当該構成間の切り替えは、操作キー１７７を介した入力などに基づく本体装置１０１から送られてくるコマンドにより行われるものとする。なお、表示パネル１４０の表面の一部の領域に関してスキャンを行なう場合、画像処理エンジン１８０が、スキャン対象領域の設定を行なう。なお、当該領域の設定を、操作キー１７７を介してユーザが指定できる構成としてもよい。
【０１１７】
このように、表示パネル１４０の表面の一部の領域に関してスキャンを行なう場合には、画像の表示に関し、以下のような利用の態様がある。１つ目は、上記一部の領域（以下、スキャン領域と称する）以外の表面の領域において、画像を表示させる態様である。２つ目は、上記スキャン領域以外の表面の領域において、画像を表示させない態様である。いずれの態様とするかは、本体装置１０１から画像処理エンジン１８０に送られてくるコマンドに基づく。
【０１１８】
図６は、表示パネル１４０とバックライト１７９との断面図であって、スキャンの際にフォトダイオード１４５がバックライト１７９からの光を受光する構成を示した図である。
【０１１９】
図を参照して、ユーザの指９００が表示パネル１４０の表面に接触している場合、バックライト１７９から発せられた光の一部は、当該接触している領域ではユーザの指９００（略平面）にて反射される。そして、フォトダイオード１４５は、当該反射された光を受光する。
【０１２０】
また、指９００が接触していない領域においても、バックライト１７９から発せられた光の一部は、ユーザの指９００にて反射される。この場合においても、フォトダイオード１４５は、当該反射された光を受光する。ただし、当該領域においては表示パネル１４０の表面に指９００が接触していないため、指９００が接触している領域よりも、フォトダイオード１４５の受光量は少なくなる。なお、バックライト１７９から発せられた光のうち、ユーザの指９００に到達しない光のほとんどについては、フォトダイオード１４５は受光できない。
【０１２１】
ここで、バックライト１７９を、少なくともセンシング期間においては点灯させておくことにより、光センサ回路１４４は、ユーザの指９００により反射した光の光量に応じた電圧をセンサ信号線ＳＳｊから出力することができる。このように、バックライト１７９の点灯と消灯とを制御することにより、表示パネル１４０では、指９００の接触位置、指９００の接触している範囲（指９００の押圧力によって定まる）、表示パネル１４０の表面に対する指９００の方向などに応じて、センサ信号線（ＳＳ１からＳＳｎ）から出力される電圧が変化することになる。
【０１２２】
以上により、表示装置１０２は、指９００によって光が反射されることにより得られる像（以下、反射像とも称する）をスキャンすることができる。
【０１２３】
なお、指９００以外のスキャン対象物としては、スタイラスなどが挙げられる。
ところで、本実施の形態においては、電子機器１００の表示装置として表示パネルを例に挙げて説明しているが、表示パネルの代わりに有機ＥＬ（Electro-Luminescence）パネルなどの他のパネルを用いてもよい。
【０１２４】
＜データについて＞
次に、第１ユニット１００１と第２ユニット１００２との間でやり取りされるコマンドの一例、および第１ユニット１００１内の本体装置１０１と表示装置１０２との間でやり取りされるコマンドの一例について説明する。
【０１２５】
図７は、コマンドの概略構成を示した図である。図を参照して、コマンドは、ヘッダＤＡ０１と、第１フィールドＤＡ０２と、第２フィールドＤＡ０３と、第３フィールドＤＡ０４と、第４フィールドＤＡ０５と、第５フィールドＤＡ０６と、予備のデータ領域ＤＡ０７とを含む。
【０１２６】
図８は、種別「０００」のコマンド（つまり、センシングコマンド）を説明するための図である。ＣＰＵ１１０は、種別「０００」のコマンド（以下、「第１コマンド」と称する）を、第１ユニット１００１の本体装置１０１から第２ユニット１００２に送る。あるいは、ＣＰＵ１１０は、第１コマンドを、本体装置１０１から表示装置１０２に送る。なお、以下においては、ＣＰＵ１１０が第１コマンドを第１ユニット１００１の本体装置１０１から第２ユニット１００２に送る場合を例に挙げて説明する。
【０１２７】
ＣＰＵ１１０は、ヘッダＤＡ０１に、コマンドの種別（「０００」）、コマンドの送信先等を書き込む。ＣＰＵ１１０は、第１フィールドＤＡ０２に、番号が「１」のタイミングの値を書き込む。ＣＰＵ１１０は、第２フィールドＤＡ０３に、番号が「２」のデータ種別の値を書き込む。ＣＰＵ１１０は、第３フィールドＤＡ０４に、番号が「３」の読取方式の値を書き込む。ＣＰＵ１１０は、第４フィールドＤＡ０５に、番号が「４」の画像階調の値を書き込む。ＣＰＵ１１０は、第５フィールドＤＡ０６に、番号が「５」の解像度の値を書き込む。
【０１２８】
第１フィールドＤＡ０２に「００」が設定された第１コマンドは、画像処理エンジン２８０に対して、そのときのスキャンデータの送信を要求する。つまり、センシング第１コマンドは、当該第１コマンドを画像処理エンジン２８０が受信した後に、表示パネル２４０の光センサ回路を用いてスキャンすることにより得られるスキャンデータの送信を要求する。また、第１フィールドＤＡ０２に「０１」が設定された第１コマンドは、スキャン結果に変化があったときのスキャンデータの送信を要求する。さらに、第１フィールドＤＡ０２に「１０」が設定された第１コマンドは、一定周期毎にスキャンデータの送信を要求する。
【０１２９】
第２フィールドＤＡ０３に「００１」が設定された第１コマンドは、部分画像における中心座標の座標値の送信を要求する。また、第２フィールドＤＡ０３に「０１０」が設定された第１コマンドは、スキャン結果が変化した部分画像のみの送信を要求する。なお、スキャン結果が変化したとは、前回のスキャン結果と今回のスキャン結果が異なっていることを指す。さらに、第２フィールドＤＡ０３に「１００」が設定された第１コマンドは、全体画像の送信を要求する。
【０１３０】
ここで、「全体画像」とは、ｍ×ｎ個の光センサ回路を用いてスキャンした際に、各光センサ回路から出力される電圧に基づいて、画像処理エンジン２８０により生成された画像である。また、「部分画像」とは、全体画像の一部である。部分画像に関して、スキャン結果が変化した部分画像のみの送信を要求する構成とした理由については後述する。
【０１３１】
なお、上記座標値と上記部分画像または上記全体画像とを同時に要求する構成としてもよい。また、表示パネル２４０の表面の一部の領域に関してスキャンを行なう構成の場合には、上記全体画像はスキャンが行なわれる領域に対応した画像となる。
【０１３２】
第３フィールドＤＡ０４に「００」が設定されたセンシング第１コマンドは、バックライト２７９を点灯してスキャンすることを要求する。また、第３フィールドＤＡ０４に「０１」が設定された第１コマンドは、バックライト２７９を消灯してスキャンすることを要求する。なお、バックライト２７９を消灯してスキャンする構成については後述する。さらに、第３フィールドＤＡ０４に「１０」が設定された第１コマンドは、反射と透過とを併用してスキャンすることを要求する。なお、反射と透過とを併用するとは、バックライト２７９を点灯してスキャンする方式と、バックライトを消灯してスキャンする方式とを切り替えて、スキャン対象物のスキャンを行なうことを指す。
【０１３３】
第４フィールドＤＡ０５に「００」が設定された第１コマンドは、白黒の２値の画像データを要求する。また、第４フィールドＤＡ０５に「０１」が設定された第１コマンドは、多階調の画像データを要求する。さらに、第４フィールドＤＡ０５に「１０」が設定された第１コマンドは、ＲＧＢのカラーの画像データを要求する。
【０１３４】
第５フィールドＤＡ０６に「０」が設定された第１コマンドは、解像度の高い画像データを要求する。また、第５フィールドＤＡ０６に「１」が設定された第１コマンドは、解像度の低い画像データを要求する。
【０１３５】
また、上記第１コマンドには、図８に示したデータ以外に、スキャンを行なう領域（光センサ回路１４４を駆動する画素の領域）の指定、スキャンを行なうタイミング、バックライト１７９の点灯のタイミングなどが記述されている。
【０１３６】
なお、画像処理エンジン２８０は、第１コマンドの内容を解析し、当該解析の結果に従ったデータ（つまり、応答データ）を本体装置１０１に送り返す。
【０１３７】
図９は、種別「００１」のコマンド（以下、「第２コマンド」と称する）を説明するための図である。ＣＰＵ１１０は、第２コマンドを、第１ユニット１００１の本体装置１０１から第２ユニット１００２に送る。
【０１３８】
ＣＰＵ１１０は、ヘッダＤＡ０１に、コマンドの種別（「００１」）、コマンドの送信先等を書き込む。ＣＰＵ１１０は、第１フィールドＤＡ０２に、番号が「１」の表示要求の値を書き込む。ＣＰＵ１１０は、第２フィールドＤＡ０３に、番号が「２」の個数／種類に関する情報を書き込む。ＣＰＵ１１０は、第３フィールドＤＡ０４に、番号が「３」の表示範囲の値を書き込む。ＣＰＵ１１０は、第４フィールドＤＡ０５に、番号が「４」の画像データに関する情報を書き込む。
【０１３９】
第１フィールドＤＡ０２に「００１」が設定された第２コマンドは、表示パネル２４０に画像を表示させることを画像処理エンジン２８０に対して要求する。また、第１フィールドＤＡ０２に「０１０」が設定された第２コマンドは、表示パネル２４０にアイコンを表示させることを画像処理エンジン２８０に対して要求する。さらに、第１フィールドＤＡ０２に「０１１」が設定された第２コマンドは、表示パネル２４０に手書領域を表示させることを画像処理エンジン２８０に対して要求する。
【０１４０】
第２フィールドＤＡ０３には、表示パネル２４０に表示させる画像の個数、および手書言語の種類を指定する番号が格納される。画像処理エンジン２８０は、当該画像の個数、または言語の種類に応じた処理を行なう。
【０１４１】
第３フィールドＤＡ０４に「０１」が設定された第２コマンドは、表示パネル２４０における表示範囲を座標にて指定することを、画像処理エンジン２８０に対して要求する。また、第３フィールドＤＡ０４に「１０」が設定された第２コマンドは、表示パネル２４０における表示範囲を表示領域の全体にすることを、画像処理エンジン２８０に対して要求する。
【０１４２】
第４フィールドＤＡ０５には、表示パネル２４０に表示させる画像データと、当該画像データを表示する位置情報とが格納される。画像処理エンジン２８０は、当該位置情報で特定される位置に当該画像データを表示する処理を行なう。
【０１４３】
図１０は、種別「０１０」のコマンド（以下、「第３コマンド」と称する）を説明するための図である。ＣＰＵ１１０は、第３コマンドを、第１ユニット１００１の本体装置１０１から第２ユニット１００２に送る。あるいは、ＣＰＵ２１０は、第３コマンドを、第２ユニット１００２の本体装置１０４から第１ユニット１００１に送る。
【０１４４】
ＣＰＵ１１０，２１０は、ヘッダＤＡ０１に、コマンドの種別（「０１０」）、コマンドの送信先等を書き込む。ＣＰＵ１１０，２１０は、第１フィールドＤＡ０２に、番号が「１」のＯＳ（Operating System）処理要求の値を書き込む。ＣＰＵ１１０，２１０は、第２フィールドＤＡ０３に、番号が「２」のＯＳ情報の値を書き込む。
【０１４５】
第１フィールドＤＡ０２に「０１」または「１０」が設定された第３コマンドは、第２ユニット１００２から第１ユニット１００１に送信される。
【０１４６】
第１フィールドＤＡ０２に「０１」が設定された第３コマンドは、第１ユニット１００１に対して、当該第１ユニット１００１のＯＳの種類を示した情報の送信を要求する。また、第１フィールドＤＡ０２に「１０」が設定された第３コマンドは、第１ユニット１００１に対して、ＯＳ情報にて指定されたＯＳの起動を要求する。
【０１４７】
第２フィールドＤＡ０３に「０００」、「００１」、または「０１０」が設定された第３コマンドは、第２ユニット１００２から第１ユニット１００１に送信される。
【０１４８】
第２フィールドＤＡ０３に「０００」が設定された第３コマンドは、第１ユニット１００１におけるＯＳの起動を要求しない。また、第２フィールドＤＡ０３に「００１」が設定された第３コマンドは、第２ユニット１００２が第１ＯＳの起動を選択したことを示す。さらに、第２フィールドＤＡ０３に「０１０」が設定された第３コマンドは、第２ユニット１００２が第２ＯＳの起動を選択したことを示す。
【０１４９】
図１１は、種別「０１１」のコマンド（以下、「第４コマンド」と称する）を説明するための図である。ＣＰＵ２１０は、第４コマンドを、第２ユニット１００２の本体装置１０４から第１ユニット１００１に送る。
【０１５０】
ＣＰＵ２１０は、ヘッダＤＡ０１に、コマンドの種別（「０１１」）、コマンドの送信先等を書き込む。ＣＰＵ２１０は、第１フィールドＤＡ０２に、番号が「１」の起動アプリに関する情報を書き込む。ＣＰＵ２１０は、第２フィールドＤＡ０３に、番号が「２」の起動時情報を書き込む。
【０１５１】
第１フィールドＤＡ０２には、第１ユニット１００１において起動させるアプリを指定する情報が格納される。第２フィールドＤＡ０３には、起動設定時に用いる情報、および起動後に用いる情報が格納される。
【０１５２】
図１２は、種別「１００」のコマンド（以下、「第５コマンド」と称する）を説明するための図である。ＣＰＵ２１０は、第５コマンドを、第２ユニット１００２の本体装置１０４から第１ユニット１００１に送る。
【０１５３】
ＣＰＵ２１０は、ヘッダＤＡ０１に、コマンドの種別（「１００」）、コマンドの送信先等を書き込む。ＣＰＵ２１０は、第１フィールドＤＡ０２に、番号が「１」の受信要求に関する情報を書き込む。ＣＰＵ２１０は、第２フィールドＤＡ０３に、番号が「２」の個数に関する情報を書き込む。ＣＰＵ２１０は、第３フィールドＤＡ０４に、番号が「３」のファイルに関する情報を書き込む。
【０１５４】
第１フィールドＤＡ０２に「０１」が設定された第５コマンドは、第１ユニット１００１に対してファイルの受信を要求する。また、第２フィールドＤＡ０３には、第２ユニット１００２が第１ユニット１００１に送信するファイルの個数が格納される。さらに、第３フィールドＤＡ０４には、第２ユニット１００２が第１ユニット１００１に送信するファイルが格納される。
【０１５５】
図１３は、種別「１０１」のコマンド（以下、「第６コマンド」と称する）を説明するための図である。ＣＰＵ１１０は、第６コマンドを、第１ユニット１００１の本体装置１０１から第２ユニット１００２に送る。あるいは、ＣＰＵ２１０は、第６コマンドを、第２ユニット１００２の本体装置１０４から第１ユニット１００１に送る。
【０１５６】
ＣＰＵ１１０，２１０は、ヘッダＤＡ０１に、コマンドの種別（「１０１」）、コマンドの送信先等を書き込む。ＣＰＵ１１０，２１０は、第１フィールドＤＡ０２に、番号が「１」の通信種別の値を書き込む。ＣＰＵ１１０，２１０は、第２フィールドＤＡ０３に、番号が「２」の接続先の値を書き込む。ＣＰＵ１１０，２１０は、第３フィールドＤＡ０４に、番号が「３」の転送先の値を書き込む。ＣＰＵ１１０，２１０は、第４フィールドＤＡ０５に、番号が「４」の信号強度の取得タイミングの値を書き込む。
【０１５７】
第１フィールドＤＡ０２に「００１」が設定された第６コマンドは、相手側の装置に対して赤外線通信を行なうことを要求する。また、第１フィールドＤＡ０２に「０１０」が設定された第６コマンドは、相手側の装置に対してＢｌｕｅｔｏｏｔｈ（登録商標）による無線通信を行なうことを要求する。さらに、第１フィールドＤＡ０２に「０１１」が設定された第６コマンドは、相手側の装置に対してＬＡＮ通信を行なうことを要求する。
【０１５８】
第２フィールドＤＡ０３に「０００」が設定された第６コマンドは、通信の接続先を指定する情報を有していないことを示す。
【０１５９】
また、第２フィールドＤＡ０３に「００１」が設定された第６コマンドは、第１ユニット１００１によって、当該第１ユニット１００１の接続先の装置に送信される。そのような第６コマンドは、第１ユニット１００１が接続する装置に関する情報の送信を要求する。
【０１６０】
さらに、第２フィールドＤＡ０３に「０１０」が設定された第６コマンドは、第２ユニット１００２によって、当該第２ユニット１００２の接続先の第１ユニット１００１に送信される。そのような第６コマンドは、第２ユニット１００２が接続する第１ユニット１００１に関する情報の送信を要求する。
【０１６１】
また、第２フィールドＤＡ０３に「０１１」が設定された第６コマンドは、第２ユニット１００２によって、当該第２ユニット１００２の接続先の第１ユニット１００１に送信される。そのような第６コマンドは、第２ユニット１００２に関する情報を接続先の機器情報として設定することを要求する。
【０１６２】
さらに、第２フィールドＤＡ０３に「１００」が設定された第６コマンドは、第１ユニット１００１によって、当該第１ユニット１００１の接続先の装置（たとえば、第２ユニット１００２）に送信される。そのような第６コマンドは、第１ユニット１００１に関する情報を接続先の機器情報として設定することを要求する。
【０１６３】
第３フィールドＤＡ０４に「０００」が設定された第６コマンドは、データ（たとえば、ファイル）の転送先を指定する情報を有していないことを示す。
【０１６４】
また、第３フィールドＤＡ０４に「００１」が設定された第６コマンドは、第１ユニット１００１によって、データ転送先の装置に送信される。そのような第６コマンドは、データ転送先の装置に関する情報の送信を要求する。
【０１６５】
さらに、第３フィールドＤＡ０４に「０１０」が設定された第６コマンドは、第２ユニット１００２によって、データ転送先の第１ユニット１００１に送信される。そのような第６コマンドは、データ転送先の第１ユニット１００１に関する情報の送信を要求する。
【０１６６】
また、第３フィールドＤＡ０４に「０１１」が設定された第６コマンドは、第２ユニット１００２によって、データ転送先の第１ユニット１００１に送信される。そのような第６コマンドは、第２ユニット１００２に関する情報をデータ転送元の機器情報として設定することを要求する。
【０１６７】
さらに、第３フィールドＤＡ０４に「１００」が設定された第６コマンドは、第１ユニット１００１によって、データ転送先の装置（たとえば、第２ユニット１００２）に送信される。そのような第６コマンドは、第１ユニット１００１に関する情報をデータ転送元の機器情報として設定することを要求する。
【０１６８】
第４フィールドＤＡ０５に「００」、「０１」、「１０」、または「１１」が設定された第６コマンドは、第１ユニット１００１によって、第２ユニット１００２に送信される。
【０１６９】
第４フィールドＤＡ０５に「００」が設定された第６コマンドは、第２ユニット１００２に対して、信号強度を示したデータの送信を要求しない。また、第４フィールドＤＡ０５に「０１」が設定された第６コマンドは、信号強度検出部２９７に対して、そのときの信号強度を示したデータの送信を要求する。さらに、第４フィールドＤＡ０５に「１０」が設定された第６コマンドは、信号強度に変化があったときの信号強度を示したデータの送信を要求する。また、第４フィールドＤＡ０５に「１１」が設定された第６コマンドは、一定周期毎に信号強度を示したデータの送信を要求する。
【０１７０】
図１４は、応答データの概略構成を示した図である。応答データは、第１コマンド（センシングコマンド）の内容に応じたデータである。
【０１７１】
第１コマンドが本体装置１０１から第２ユニット１００２に送信された場合、ＣＰＵ２１０は、応答データを、表示装置１０３から第１ユニット１００１に送信する。また、第１コマンドが本体装置１０１から第１ユニット１００１の表示装置１０２に送信された場合、画像処理エンジン１８０は、応答データを、画像処理エンジン１８０から本体装置１０１に送信する。なお、以下では、第１コマンドが本体装置１０１から第２ユニット１００２に送信された場合を例に挙げて説明する。
【０１７２】
図を参照して、応答データは、ヘッダのデータ領域ＤＡ１１と、座標を示すデータ領域ＤＡ１２と、時刻を示すデータ領域ＤＡ１３と、画像を示すデータ領域ＤＡ１４とを含む。ここで、座標を示すデータ領域ＤＡ１２には、部分画像の中心座標の値が書き込まれる。また、時刻を示すデータ領域には、画像処理エンジン２８０のタイマ２８２から取得した時刻情報が書き込まれる。さらに、画像を示すデータ領域には、画像処理エンジン２８０により処理がされた後の画像データ（つまり、スキャンデータ）が書き込まれる。
【０１７３】
図１５は、指９００をスキャンすることにより得られた画像（つまり、スキャン画像）を示した図である。図を参照して、太実線で囲まれた領域Ｗ１の画像が全体画像であり、破線で囲まれた領域Ｐ１の画像が部分画像である。また、太線で示した十字の中心点Ｃ１が、中心座標となる。
【０１７４】
本実施の形態では、矩形の領域であって、かつセンサ信号線ＳＳｊからの出力電圧が予め定められた値以上となった光センサ回路が備えられた画素（つまり、予め定められた階調または予め定められた輝度以上の画素）全てを含む領域を、部分画像の領域としている。
【０１７５】
また、中心座標は、部分画像の領域における各画素の階調を考慮して決定される座標である。具体的には、中心座標は、部分画像内の各画素に関し、画素の階調と、当該画素と上記矩形の中心点（つまり図心）との距離とに基づき、重み付け処理を行なうことにより決定される。つまり、中心座標は、部分画像の図心とは必ずしも一致しない。
【０１７６】
ただし、必ずしも中心座標の位置は上記に限定されるものではなく、中心座標を上記図心の座標あるいは図心の近傍の座標としてもよい。
【０１７７】
第１コマンドのデータ種別を示すデータ領域に「００１」が設定されている場合には、画像処理エンジン２８０は、座標を示すデータ領域ＤＡ１２に上記中心座標の値を書き込む。この場合、画像処理エンジン２８０は、画像を示すデータ領域ＤＡ１４には画像データを書き込まない。画像処理エンジン２８０は、上記中心座標の値の書き込みを行なった後、当該中心座標の値を含む応答データを本体装置１０４に送る。本体装置１０４は、当該中心座標の値を含む応答データを第１ユニット１００１の本体装置１０１に送る。このように、データ種別を示すデータ領域に「００１」が設定されている場合には、第１コマンドは、画像データの出力を要求せずに、中心座標の値の出力を要求する。
【０１７８】
また、第１コマンドのデータ種別を示すデータ領域に「０１０」が設定されている場合には、画像処理エンジン２８０は、画像を示すデータ領域ＤＡ１４に、スキャン結果が変化した部分画像の画像データを書き込む。この場合、画像処理エンジン２８０は、中心座標の値を座標を示すデータ領域ＤＡ１２に書き込まない。画像処理エンジン２８０は、上記スキャン結果が変化した部分画像の画像データの書き込みを行なった後、当該部分画像の画像データを含む応答データを本体装置１０４に送る。本体装置１０４は、当該部分画像の画像データを含む応答データを第１ユニット１００１の本体装置１０１に送る。このように、データ種別を示すデータ領域に「０１０」が設定されている場合には、第１コマンドは、中心座標の値の出力を要求せずに、スキャン結果が変化した部分画像の画像データの出力を要求する。
【０１７９】
なお、上記のように、スキャン結果が変化した部分画像のみの送信を要求する構成とした理由は、スキャンデータのうち部分画像の領域のスキャンデータが、当該領域以外のスキャンデータよりも重要度の高いデータであること、および、指９００などのスキャン対象物との接触状態により、スキャンデータのうち部分画像の領域に相当する領域のスキャンデータが変化しやすいことによる。
【０１８０】
また、第１コマンドのデータ種別を示すデータ領域に「０１１」が設定されている場合には、画像処理エンジン２８０は、座標を示すデータ領域ＤＡ１２に中心座標の値を書き込むとともに、画像を示すデータ領域ＤＡ１４にスキャン結果が変化した部分画像の画像データを書き込む。その後、画像処理エンジン２８０は、当該中心座標の値と当該部分画像の画像データとを含む応答データを本体装置１０４に送る。本体装置１０４は、当該中心座標の値と当該部分画像の画像データとを含む応答データを第１ユニット１００１の本体装置１０１に送る。このように、データ種別を示すデータ領域に「０１１」が設定されている場合には、第１コマンドは、中心座標の値の出力と、スキャン結果が変化した部分画像の画像データの出力とを要求する。
【０１８１】
また、第１コマンドのデータ種別を示すデータ領域に「１００」が設定されている場合には、画像処理エンジン２８０は、図１４に示した応答データの画像を示すデータ領域ＤＡ１４に、全体画像の画像データを書き込む。この場合、画像処理エンジン２８０は、中心座標の値を座標を示すデータ領域ＤＡ１２に書き込まない。画像処理エンジン２８０は、上記全体画像の画像データの書き込みを行った後、当該全体画像の画像データを含む応答データを本体装置１０４に送る。本体装置１０４は、当該全体画像の画像データを含む応答データを第１ユニット１００１の本体装置１０１に送る。このように、データ種別を示すデータ領域に「１００」が設定されている場合には、第１コマンドは、中心座標の値の出力を要求せずに、全体画像の画像データの出力を要求する。
【０１８２】
また、第１コマンドのデータ種別を示すデータ領域に「１０１」が設定されている場合には、画像処理エンジン２８０は、座標を示すデータ領域ＤＡ１２に中心座標の値を書き込むとともに、画像を示すデータ領域ＤＡ１４に全体画像の画像データを書き込む。その後、画像処理エンジン２８０は、当該中心座標の値と当該全体画像の画像データとを含む応答データを本体装置１０４に送る。本体装置１０４は、当該中心座標の値と当該全体画像の画像データとを含む応答データを第１ユニット１００１の本体装置１０１に送る。このように、データ種別を示すデータ領域に「１０１」が設定されている場合には、第１コマンドは、中心座標の値の出力と、全体画像の画像データの出力とを要求する。
【０１８３】
＜構成の第１の変形例について＞
次に、図１６を参照して、前述のスキャンの方法（つまり、図６における反射像をスキャンする方法）とは異なるスキャンの方法について説明する。
【０１８４】
図１６は、スキャンの際にフォトダイオードが外光を受光する構成を示した断面図である。同図に示すとおり、外光の一部は、指９００によって遮られる。それゆえ、指９００と接触している表示パネル１４０の表面領域の下部に配されたフォトダイオードは、ほとんど外光を受光できない。また、指９００の影が形成された表面領域の下部に配されたフォトダイオードは、ある程度の外光を受光できるものの、影が形成されていない表面領域に比べると外光の受光量が少ない。
【０１８５】
ここで、バックライト１７９を、少なくともセンシング期間においては消灯させておくことにより、光センサ回路１４４は、表示パネル１４０の表面に対する指９００の位置に応じた電圧をセンサ信号線ＳＳｊから出力することができる。このように、バックライト１７９を点灯と消灯とを制御することにより、表示パネル１４０では、指９００の接触位置、指９００の接触している範囲（指９００の押圧力によって定まる）、表示パネル１４０の表面に対する指９００の方向などに応じて、センサ信号線（ＳＳ１からＳＳｎ）から出力される電圧が変化することになる。
【０１８６】
以上により、表示装置１０２は、指９００によって外光が遮られることにより得られる像（以下、影像とも称する）をスキャンすることができる。
【０１８７】
さらに、表示装置１０２を、バックライト１７９を点灯させてスキャンを行なった後に、バックライト１７９を消灯させて再度スキャンを行なう構成としてもよい。あるいは、表示装置１０２を、バックライト１７９を消灯させてスキャンを行なった後に、バックライト１７９を点灯させて再度スキャンを行なう構成としてもよい。
【０１８８】
この場合には、２つのスキャン方式を併用することになるため、２つのスキャンデータを得ることができる。それゆえ、一方のスキャン方式のみを用いてスキャンする場合に比べて、精度の高い結果を得ることができる。
【０１８９】
＜表示装置について＞
表示装置１０３の動作は、表示装置１０２の動作と同様、本体装置１０１からのコマンド（たとえば、第１コマンド）に応じて制御される。表示装置１０３は表示装置１０２と同様な構成を有する。それゆえ、表示装置１０３が表示装置１０２と同じコマンドを本体装置１０１から受け付けた場合、表示装置１０３は表示装置１０２と同様の動作を行なう。このため、表示装置１０３の構成や動作についての説明は繰り返さない。
【０１９０】
なお、本体装置１０１は、表示装置１０２と表示装置１０３とに対して、命令が異なるコマンドを送ることができる。この場合、表示装置１０２と表示装置１０３とは別々の動作を行なう。また、本体装置１０１は、表示装置１０２および表示装置１０３のいずれかに対して、コマンドを送ってもよい。この場合、一方の表示装置のみがコマンドに応じた動作を行なう。また、本体装置１０１が、表示装置１０２と表示装置１０３とに命令が同じコマンドを送ってもよい。この場合、表示装置１０２と表示装置１０３とは、同じ動作を行なう。
【０１９１】
なお、表示装置１０２の表示パネル１４０のサイズと表示装置１０３の表示パネル２４０のサイズとは、同じであってもよいしまたは異なっていてもよい。また、表示パネル１４０の解像度と表示パネル２４０の解像度とは、同じであってもよいしまたは異なっていてもよい。
【０１９２】
＜電子機器１００の機能＞
先述のように、電子機器１００の第２の表示パネル２４０は、操作モードとして、マウス操作モードとタッチ操作モードとを有する。これら操作モードは切替ボタン２７０の操作に応じて切り替えられるものの、電子機器１００での処理の状況（段階）によっては、これら操作モードのうち一方の操作モードとしておく必要がある場合がある。具体的な処理の段階としては、当該電子機器１００が起動中、スクリーンセーバ表示状態やスリープ状態などの待機状態からの復帰時、および確認ダイアログ表示時が挙げられる。起動時およびスクリーンセーバからの復帰時の操作モードは好ましくはマウス操作モードであり、確認ダイアログ表示時は、確認ダイアログが第１の表示パネル１４０に表示されている場合にはマウス操作モードであり、第２の表示パネル２４０に表示されている場合にはタッチ操作モードである。そこで、電子機器１００は、処理の段階に応じて、これら操作モードを自動的に切り替えたり、操作モードの切り替え指示を受け付けずに所定の操作モードに固定したりするための処理を行なう。以降では、操作モードの切り替えや固定が必要な処理の段階を、具体的に、上述の、当該電子機器１００が起動中、スクリーンセーバ表示状態やスリープ状態などの待機状態からの復帰時、および確認ダイアログ表示時、であるものとして説明する。
【０１９３】
＜電子機器１００の機能構成の第１の具体例＞
以下では、図１７を参照して、電子機器１００の、操作モードを切り替えたり、操作モードを固定したりする、操作モードの管理のための機能構成の第１の具体例について説明する。図１７に表わされる各機能は、ＣＰＵ１１０，２１０がそれぞれＲＯＭ１７２，２７２などに記憶されているプログラムを読み出して実行することで、主にＣＰＵ１１０，２１０上に形成されるものである。しかしながら、少なくとも一部の機能が、図２に表わされたハードウェア構成を用いて形成されてもよい。
【０１９４】
図を参照して、電子機器１００の上記機能は、第１の画面処理部１０と第２の画面処理部２０とを含む。第１の画面処理部１０は、主に、第１の表示パネル１４０の表示のための処理を行ない、第２の画面処理部２０は、主に、第２の表示パネル２４０の表示のための処理を行なう。第１の画面処理部１０は、制御部１１、プログラム保持部１２、モード記憶部１３、表示部１４、通信部１５、および入力部１６を含む。第２の画面処理部２０は、制御部２１、プログラム保持部２２、表示部２４、通信部２５、タッチ処理部２６、およびモード切替受付部２７を含む。
【０１９５】
プログラム保持部１２は、ＲＯＭ１７２などの記憶装置などから構成され、各種処理を実行させるためのプログラムを記憶する。制御部１１はＣＰＵ１１０を含み、プログラム保持部１２に記憶されるプログラムを読み出して実行する。
【０１９６】
プログラム保持部２２は、ＲＯＭ２７２などの記憶装置などから構成され、各種処理として、マウス操作モードにおける処理を実行させるためのマウス操作モード用のプログラムと、タッチ操作モードにおける処理を実行させるためのタッチ操作モード用のプログラムとを記憶する。マウス操作モード用のプログラムは、入力装置としての第２の表示パネル２４０からの入力をマウス操作モードでの入力として処理するためのプログラムであり、タッチ操作モード用のプログラムは、入力装置としての第２の表示パネル２４０からの入力をタッチ操作モードでの入力として処理するためのプログラムである。さらに、タッチ操作モード用のプログラムには、第２の画面処理部２０で動作するアプリケーションが含まれる。第２の画面処理部２０で動作するアプリケーションとしては、たとえば、時計やカレンダー、電卓などのアプリケーションなどが挙げられる。また、その他一般的なアプリケーションであってもよい。制御部２１はＣＰＵ２１０を含み、プログラム保持部２２に記憶されるプログラムのうち、現在の操作モードに対応したプログラムを読み出して実行する。制御部２１が実行するプログラムをマウス操作モード用のプログラムからタッチ操作モード用のプログラムに切り替えることで操作モードがマウス操作モードからタッチ操作モードに切り替わり、制御部２１が実行するプログラムをタッチ操作モード用のプログラムからマウス操作モード用のプログラムに切り替えることで操作モードがタッチ操作モードからマウス操作モードに切り替わる。
【０１９７】
通信部１５，２５は、各々、ＵＳＢコネクタ１９４，２９４などを含み、ＵＳＢケーブルを介した通信や無線通信などを行なって、第１の画面処理部１０と第２の画面処理部２０との間でデータをやり取りする。通信部１５は、第２の画面処理部２０からデータを受信すると、受信したデータを制御部１１に入力する。制御部１１は、その時点で処理を行なっているプログラムに従って、入力されたデータを処理する。同様に、通信部２５は、第１の画面処理部１０からデータを受信すると、受信したデータを制御部２１に入力する。制御部２１は、その時点で処理を行なっているプログラムに従って、入力されたデータを処理する。
【０１９８】
タッチ処理部２６は、タッチパネルである第２の表示パネル２４０の操作による操作信号の入力を第２の表示パネル２４０から受け付けて、当該入力された操作信号で特定される操作内容を示す操作データを、制御部２１に入力する。
【０１９９】
一般的には、制御部２１は、現在の操作モードがマウス操作モードであり、マウス操作モード用のプログラムを実行している場合には、当該プログラムに従って、入力された操作データを通信部２５で第１の画面処理部１０に送信し、制御部１１に入力する。現在の操作モードがタッチ操作モードであり、タッチ操作モード用のプログラムを実行している場合には、制御部２１は、当該プログラムに従って、入力された操作データを処理する。
【０２００】
入力部１６は、操作キー１７７の操作による操作信号の入力を操作キー１７７から受け付けて、該信号で特定される操作内容を示す操作データを制御部１１に入力する。制御部１１は、その時点で実行しているプログラムに従って、入力部１６から入力された操作データ、または通信部１５で受信した第２の画面処理部２０から送信された操作データを処理する。
【０２０１】
なお、制御部２１は、実行しているプログラムに従って判断することなく、タッチ処理部２６から入力された操作データを通信部２５で第１の画面処理部１０に送信してもよい。この場合、好ましくは第１の画面処理部１０は後述する操作モードフラグ１３８を参照して現在の操作モードを特定する。現在の操作モードがタッチ操作モードである場合に、入力された操作データを無効とする。
【０２０２】
制御部１１は、プログラム保持部１２に保持されているプログラムを実行する過程において、第１の画面処理部１０の現在のステータスを特定する。第１の画面処理部１０のステータスとは、制御部１１での処理の段階を指す。また、同様にして、制御部２１でのプログラムの実行を監視し、第２の画面処理部２０の現在のステータスを特定していてもよい。ステータスの具体例としては、プログラムを起動中、待機状態（スクリーンセーバ表示、スリープ）中、および確認ダイアログ表示中などが挙げられる。第１の画面処理部１０は図示されないステータス記憶部をさらに含み、制御部１１は、特定したステータスを該記憶部に記憶させ、プログラムを実行に伴って記憶されている現在のステータスを更新してもよい。
【０２０３】
制御部１１は、現在のステータスに基づいて、たとえばステータス変化時などの所定のタイミングで、予め記憶されている、当該ステータスで必要である操作モードに固定させるためのコマンドを発生させる。具体例としては、プログラムを起動中のステータスではマウス操作モードに固定させるためのコマンド、待機状態（スクリーンセーバ表示、スリープ）中のステータスではマウス操作モードに固定させるためのコマンド、第１の表示パネル１４０に確認ダイアログ表示中のステータスではマウス操作モードに固定させるためのコマンド、および第２の表示パネル２４０に確認ダイアログ表示中のステータスではタッチ操作モードに固定させるためのコマンドを発生させる。また、一方の操作モードに固定する必要のないステータスに移行した場合には、制御部１１は、上記固定を解除させるためのコマンドを発生させる。
【０２０４】
モード記憶部１３は、ＲＡＭ１７１などの記憶装置から構成され、マウス操作モードフラグ１３６、タッチ操作モードフラグ１３７、操作モードフラグ１３８、およびモード復帰フラグ１３９を記憶する。
【０２０５】
マウス操作モードフラグ１３６およびタッチ操作モードフラグ１３７は、それぞれの操作モードを固定するか否かを示す。制御部１１で発生される上記コマンドに従って、マウス操作モードフラグ１３６およびタッチ操作モードフラグ１３７がそれぞれＯＮ／ＯＦＦされる。マウス操作モードフラグ１３６がＯＮの状態は、操作モードをマウス操作モードに固定する状態を表わし、タッチ操作モードフラグ１３７がＯＮの状態は、操作モードをタッチ操作モードに固定する状態を表わし、いずれのフラグもＯＦＦの状態は、当該モードの固定を解除する状態を表わす。なお、好ましくは、マウス操作モードフラグ１３６およびタッチ操作モードフラグ１３７のうちに、予め優先順位が定められる。両フラグともＯＮにするコマンドが発生した場合には、優先順位の高い方のフラグがＯＮされ、低い方のフラグはＯＦＦとされる。
【０２０６】
操作モードフラグ１３８は、たとえば「０」でマウス操作モード、「１」でタッチ操作モード、などのようにして、現在の操作モードを示す。モード復帰フラグ１３９は、後述する動作によって、処理の段階に応じて自動的に操作モードが切り替えられたか否かを示す。
【０２０７】
制御部１１は操作モードフラグ１３８を参照することで、現在の操作モードを特定し得る。しかしながら、制御部１１は、通信部１５を介して第２の画面処理部２０に対して、制御部２１が実行しているプログラムがマウス操作モード用のプログラムであるかタッチ操作モード用のプログラムであるかを問い合わせることで、現在の操作モードを特定することもできる。したがって、以下の例では、モード記憶部１３が操作モードフラグ１３８を記憶しており、制御部１１が操作モードフラグ１３８を参照して現在の操作モードを特定するものとするが、モード記憶部１３が操作モードフラグ１３８を記憶しておらず、第２の画面処理部２０に対して、制御部２１が実行しているプログラムを問い合わせることで現在の操作モードを特定してもよい。
【０２０８】
モード切替受付部２７は、切替ボタン２７０の操作による操作モードの切り替えを示す操作信号の入力を切替ボタン２７０から受け付ける。または、モード切替受付部２７は、タッチパネルである第２の表示パネル２４０の操作による操作信号の入力を第２の表示パネル２４０から受け付けて、該信号を解析することで、該信号から切り替え指示を特定する。または、入力部１６が操作キー１７７のうちのいずれかのキーである切り替えを指示するキーの操作による操作信号の入力、あるいは操作キー１７７のうちのキーを用いて所定の操作が行なわれたことによる操作信号の入力を受け付けて、通信部１５で第１の画面処理部１０から送信された場合に、モード切替受付部２７は、通信部２５で受信した該信号の入力を受け付ける。または、モード切替受付部２７は、通信部２５で受信した該信号を解析することで、該信号から切り替え指示を特定する。モード切替受付部２７は、受け付けた信号から切り替え指示が特定されると、通信部２５を介して第１の画面処理部１０に対して操作モードの切り替えの可否を問い合わせる。
【０２０９】
制御部１１は、第１の画面処理部１０の通信部１５で受信された、モード切替受付部２７からの問合せを受け付けると、モード記憶部１３のマウス操作モードフラグ１３６、タッチ操作モードフラグ１３７、および操作モードフラグ１３８を参照し、固定されている操作モードと現在の操作モードとを特定する。制御部１１は、切り替える操作モードと特定された固定されている操作モードとを比較して、切り替え前の現在の操作モードに固定されていない場合には、切り替え可能と判断する。切り替え前の現在の操作モードに固定されている場合には、切り替え不可と判断する。制御部１１は、判断に基づいて切り替えの許可／不許可を表わす制御信号を、通信部１５を介して第２の画面処理部２０に対して出力する。さらに、切り替え可能と判断した場合、制御部１１は、操作モードフラグ１３８を他方の操作モードを表わす状態とする。これにより、操作モードフラグ１３８の状態が以下の動作で切り替わる操作モードと一致する。
【０２１０】
また、制御部１１は、上記コマンドを発生させてモード記憶部１３のいずれかのフラグをＯＮとし、いずれかの操作モードを固定に変化させると、固定された操作モードに切り替えるための制御信号を、通信部１５を介して第２の画面処理部２０に対して出力する。さらに、制御部１１は、操作モードフラグ１３８を他方の操作モードを表わす状態とする。これにより、操作モードフラグ１３８の状態が切り替わった操作モードと一致する。
【０２１１】
モード切替受付部２７は、通信部２５を介して第１の画面処理部１０から送信された、制御部１１からの制御信号を受信する。該制御信号が、上記問い合わせに対して操作モードの切り替えを許可するものである場合、その旨を示す信号を制御部２１に入力する。これにより、制御部２１で実行されるプログラムが、許可された操作モードに対応するプログラムに切り替わり、操作モードが切り替わる。
【０２１２】
または、該制御信号が、現在の操作モードを切り替えるものである場合、モード切替受付部２７は、その旨を示す信号を制御部２１に入力する。これにより、制御部２１で実行されるプログラムが、現在実行中のプログラムに対応する操作モードの他方の操作モードに対応するプログラムに切り替わり、操作モードが他方の操作モードに切り替わる。
【０２１３】
また、制御部２１は、実行しているプログラムに従って、第２の画面処理部２０の、現在のステータスに必要である操作モードに固定させるためのコマンドを発生させる。また、一方の操作モードに固定する必要のないステータスに移行した場合には、制御部２１は、上記固定を解除させるためのコマンドを発生させる。操作モードを固定するステータスの具体例としては、たとえば、第２の画面処理部２０が動作させていたアプリケーションにおける確認ダイアログが第２の表示パネル２４０に表示された場合が挙げられる。この場合、次の処理に移行するためにユーザ操作が必要であるため、制御部２１はタッチ操作モードに固定させるためのコマンドを発生させる。またたとえば、タッチ操作モード用のプログラムを実行中に大量の選択肢が発生する場合に、第１の表示パネル１４０側に選択肢を表示して選択を受け付ける場面が挙げられる。この場合、制御部２１はマウス操作モードに固定させるためのコマンドを発生させる。
【０２１４】
制御部２１で発生したコマンドは通信部２５を介して第１の画面処理部１０に入力される。第１の画面処理部１０の制御部１１は、制御部２１で発生される上記コマンドに従って、マウス操作モードフラグ１３６およびタッチ操作モードフラグ１３７の状態をそれぞれＯＮ／ＯＦＦする。また、制御部１１は、制御部２１で発生され、通信部１５を介して受信したコマンドに従って操作モードフラグ１３８を切り替えてもよい。
【０２１５】
＜電子機器１００の動作の第１の具体例＞
図１８〜図２０のフローチャートを用いて、電子機器１００での、操作モードを管理するための動作の第１の具体例を説明する。図１８および図２０に表わされる動作は第１の画面処理部１０で行なわれる動作であって、ＣＰＵ１１０がＲＯＭ１７２などに記憶されるプログラムを読み込んで図１７の各部を機能させることで実現される。図１９に表わされる動作は第２の画面処理部２０で行なわれる動作であって、ＣＰＵ２１０がＲＯＭ２７２などに記憶されるプログラムを読み込んで図１７の各部を機能させることで実現される。
【０２１６】
図１８は、第１の画面処理部１０がステータスに応じた操作モードに自動的に切り替えるための動作の具体例を示し、典型的な例として、待機状態（スクリーンセーバ表示、スリープ）に関する動作を表わしている。
【０２１７】
図を参照して、制御部１１は、プログラム保持部１２に記憶されているプログラムの実行中、入力部１６からの操作信号の入力を監視している。操作信号の入力が待機状態に移行するための時間として予め規定される時間内に操作信号が入力されている場合には（ステップ（以下、Ｓ）００１でＮＯ）、Ｓ００３で制御部１１は、プログラムに従って操作信号で特定される操作データを処理する。
【０２１８】
上記時間内に操作信号が入力されなかった場合（Ｓ００１でＹＥＳ）、Ｓ００５で制御部１１は待機状態に移行すると共に、モード記憶部１３のマウス操作モードフラグ１３６をＯＮし、マウス操作モードを固定する。また制御部１１は、操作モードフラグ１３８を、マウス操作モードを表わす状態（たとえば「０」）とする。さらにＳ００７で制御部１１は、操作モードのマウス操作モードへの切り替えを指示する制御信号を、通信部１５を介して第２の画面処理部２０に対して出力する。
【０２１９】
待機状態において、入力部１６からの操作信号を受け付けると（Ｓ００９でＹＥＳ）、Ｓ０１１で制御部１１は待機状態から復帰し、元のプログラムの処理状態へ移行する。また、Ｓ０１３でモード記憶部１３のマウス操作モードフラグ１３６をＯＦＦし、マウス操作モードの固定を解除する。
【０２２０】
図１９は、第２の画面処理部２０で操作モードを管理するための動作の具体例を示している。図１９において、左側は操作モードがマウス操作モードであるときの動作を表わし、右側は操作モードがタッチ操作モードであるときの動作を表わしている。
【０２２１】
図を参照して、マウス操作モードである状態において通信部２５を介して第１の画面処理部１０から、操作モードの切り替えを指示する制御信号が入力され（Ｓ１０１でＹＥＳ）、該制御信号がタッチ操作モードへの切り替えを指示するものである場合（Ｓ１０３でＹＥＳ）、Ｓ１０５で制御部２１は、該制御信号に従って、実行するプログラムをマウス操作モード用のプログラムからタッチ操作モード用のプログラムに切り替える。これにより、操作モードがマウス操作モードからタッチ操作モードに切り替わる。
【０２２２】
第１の画面処理部１０から上記制御信号の入力がない場合であっても（Ｓ１０１でＮＯ）、操作モードの切り替えを示す操作信号が切替ボタン２７０から入力された場合（Ｓ１０７でＹＥＳ）、Ｓ１０９でモード切替受付部２７は、通信部２５を介して第１の画面処理部１０に対して操作モードの切り替えの可否を問い合わせる。
【０２２３】
上記問い合わせに対して、後述する図２０の動作の結果、第１の画面処理部１０から操作モードの切り替えを許可する制御信号が入力されると（Ｓ１１１でＹＥＳ（許可））、Ｓ１０５で制御部２１は、該制御信号に従って、実行するプログラムをマウス操作モード用のプログラムからタッチ操作モード用のプログラムに切り替える。これにより、操作モードがマウス操作モードからタッチ操作モードに切り替わる。
【０２２４】
上記問い合わせに対する第１の画面処理部１０からの制御信号が操作モードの切り替えを不許可とするものであった場合には（Ｓ１１１でＮＯ（不許可））、制御部２１は、実行するプログラムをマウス操作モード用のプログラムのままとし、タッチ操作モード用のプログラムに切り替えない。その結果、操作モードはマウス操作モードに固定されたままとなる。このとき、好ましくは、表示部２４によって、操作モードをタッチ操作モードに切り替えることができない旨を示す画面を第２の表示パネル２４０に表示するための処理がなされる。これにより、タッチ操作モードへの切り替えを指示したユーザは、現在のステータスがマウス操作モードに固定されており、タッチ操作モードに切り替えられないステータスであることを、第２の表示パネル２４０の表示を見ることで把握することができる。
【０２２５】
操作モードを切り替えずマウス操作モードである状態で、制御部２１は第２の表示パネル２４０の操作に基づくタッチ処理部２６からの操作データの入力を監視する。また、入力のない状態で第１の画面処理部１０から操作モードの切り替えを指示する制御信号が入力されたり、切替ボタン２７０から操作モードの切り替えを示す操作信号が入力されたりした場合には、上述の動作を繰り返す。タッチ処理部２６から操作データが入力されると（Ｓ１１３でＹＥＳ）、Ｓ１１５で制御部２１は、実行しているマウス操作モード用のプログラムに従って、通信部２５を介して第１の画面処理部１０に該操作データを送信する。
【０２２６】
一方、タッチ操作モードにおいても同様に、操作モードの切り替えを指示する制御信号が入力され（Ｓ１１７でＹＥＳ）、たとえば上記Ｓ００７で出力されたような、該制御信号がマウス操作モードへの切り替えを指示するものである場合（Ｓ１１９でＹＥＳ）、Ｓ１２１で制御部２１は、該制御信号に従って、実行するプログラムをタッチ操作モード用のプログラムからマウス操作モード用のプログラムに切り替える。これにより、操作モードがタッチ操作モードからマウス操作モードに切り替わる。
【０２２７】
第１の画面処理部１０から上記制御信号の入力がない場合であっても（Ｓ１１７でＮＯ）、操作モードの切り替えを示す操作信号が切替ボタン２７０から入力された場合（Ｓ１２３でＹＥＳ）、Ｓ１２５でモード切替受付部２７は、通信部２５を介して第１の画面処理部１０に対して操作モードの切り替えの可否を問い合わせる。
【０２２８】
上記問い合わせに対して、後述する図２０の動作の結果、第１の画面処理部１０から操作モードの切り替えを許可する制御信号が入力されると（Ｓ１２７でＹＥＳ（許可））、Ｓ１２１で制御部２１は、該制御信号に従って、実行するプログラムをタッチ操作モード用のプログラムからマウス操作モード用のプログラムに切り替える。これにより、操作モードがタッチ操作モードからマウス操作モードに切り替わる。
【０２２９】
上記問い合わせに対する第１の画面処理部１０からの制御信号が操作モードの切り替えを不許可とするものであった場合には（Ｓ１２７でＮＯ（不許可））、制御部２１は、実行するプログラムをタッチ操作モード用のプログラムのままとし、マウス操作モード用のプログラムに切り替えない。その結果、操作モードはタッチ操作モードに固定されたままとなる。このとき、好ましくは、表示部２４によって、操作モードをマウス操作モードに切り替えることができない旨を示す画面を第２の表示パネル２４０に表示するための処理がなされる。これにより、マウス操作モードへの切り替えを指示したユーザは、現在のステータスがタッチ操作モードに固定されており、マウス操作モードに切り替えられないステータスであることを、第２の表示パネル２４０の表示を見ることで把握することができる。
【０２３０】
Ｓ５２９で制御部２１はタッチ操作モード用プログラムを実行することで第２の画面処理部２０で動作するアプリケーションに必要な処理を行なう。処理中に、第１の画面処理部１０から操作モードの切り替えを指示する制御信号が入力されたり、切替ボタン２７０から操作モードの切り替えを示す操作信号が入力されたりした場合には、上述のＳ１１７以降の動作を繰り返す。
【０２３１】
さらに、上記Ｓ１２１で制御部２１がマウス操作モード用のプログラムを実行している際、またはＳ１２９で制御部２１がタッチ操作モード用のプログラムを実行している際、現在のステータスがいずれか一方の操作モードへの固定が必要なステータスである場合、制御部２１は当該一方の操作モードへ固定させるためのコマンドを発生させる。また、上記固定が必要でないステータスに移行すると、制御部２１は、上記固定を解除させるためのコマンドを発生させる。これらコマンドは、第１の画面制御部１０に入力される。制御部１１ではこれらコマンドに従って、上記Ｓ００７またはＳ０１３と同様に、マウス操作モードフラグ１３６またはタッチ操作モードフラグ１３７の状態を変化させる。
【０２３２】
図２０は、第１の画面処理部１０が、上記Ｓ１０９，Ｓ１２５の操作モードの切り替えの問い合わせを第２の画面処理部２０から受けたときの動作の具体例を示している。図を参照して、通信部１５を介して第２の画面処理部２０からの問い合わせを受け付け（Ｓ２０１でＹＥＳ）、該問い合わせがマウス操作モードからタッチ操作モードへの切り替えの可否の問い合わせである場合には（Ｓ２０３でＹＥＳ）、制御部１１はモード記憶部１３のマウス操作モードフラグ１３６を参照し、ＯＮであるか否か、つまりマウス操作モードに固定されているか否かを確認する。その結果、マウス操作モードフラグ１３６がＯＦＦである場合、つまり、操作モードがマウス操作モードに固定されていない場合には（Ｓ２０５でＮＯ）、制御部１１はタッチ操作モードに切り替え可能と判断し、Ｓ２０７で通信部１５を介して第２の画面処理部２０に対して、切り替えの許可を表わす制御信号を出力する。また、操作モードフラグ１３８を、タッチ操作モードを表わす状態（たとえば「１」）に切り替える。
【０２３３】
マウス操作モードフラグ１３６がＯＮである場合、つまり、操作モードがマウス操作モードに固定されている場合には（Ｓ２０５でＹＥＳ）、制御部１１はタッチ操作モードに切り替え不可と判断し、Ｓ２１３で通信部１５を介して第２の画面処理部２０に対して、切り替えの不許可を表わす制御信号を出力する。このとき、好ましくは、表示部１４によって、操作モードをタッチ操作モードに切り替えることができない旨を示す画面を第１の表示パネル１４０に表示するための処理がなされる。これにより、タッチ操作モードへの切り替えを指示したユーザは、現在のステータスがマウス操作モードに固定されており、タッチ操作モードに切り替えられないステータスであることを、第１の表示パネル１４０の表示を見ることで把握することができる。
【０２３４】
第２の画面処理部２０からの問い合わせがタッチ操作モードからマウス操作モードへの切り替えの可否の問い合わせである場合（Ｓ２０３でＮＯ）にも同様に、制御部１１はモード記憶部１３のタッチ操作モードフラグ１３７を参照し、ＯＮであるか否か、つまりタッチ操作モードに固定されているか否かを確認する。その結果、タッチ操作モードフラグ１３７がＯＦＦである場合、つまり、操作モードがタッチ操作モードに固定されていない場合には（Ｓ２０９でＮＯ）、制御部１１はマウス操作モードに切り替え可能と判断し、Ｓ２１１で通信部１５を介して第２の画面処理部２０に対して、切り替えの許可を表わす制御信号を出力する。また、操作モードフラグ１３８を、マウス操作モードを表わす状態（たとえば「０」）に切り替える。
【０２３５】
タッチ操作モードフラグ１３７がＯＮである場合、つまり、操作モードがタッチ操作モードに固定されている場合には（Ｓ２０９でＹＥＳ）、制御部１１はマウス操作モードに切り替え不可と判断し、Ｓ２１３で通信部１５を介して第２の画面処理部２０に対して、切り替えの不許可を表わす制御信号を出力する。このとき、好ましくは、表示部１４によって、操作モードをマウス操作モードに切り替えることができない旨を示す画面を第１の表示パネル１４０に表示するための処理がなされる。これにより、マウス操作モードへの切り替えを指示したユーザは、現在のステータスがタッチ操作モードに固定されており、マウス操作モードに切り替えられないステータスであることを、第１の表示パネル１４０の表示を見ることで把握することができる。
【０２３６】
以上の動作が第１の画面処理部１０および第２の画面処理部２０で行なわれることで、入力装置として第２の表示パネル２４０の操作モードが実行されている処理の段階で必要な操作モードに自動的に切り替わる。また、ユーザによって操作モードの切り替えの指示がなされた場合でも切り替えがなされないため、必要な操作モードに固定されることになる。
【０２３７】
たとえば、制御部１１は、電源投入時などのプログラムの起動時にマウス操作モードフラグ１３６をＯＮにすることで、操作モードをマウス操作モードに固定することができる。これにより、第１の画面処理部１０においてプログラム起動のある段階までの処理を終了するまでは、第２の表示パネル２４０の操作モードがマウス操作モードに固定され、たとえユーザが切替ボタン２７０を押してタッチ操作モードへの切り替えを指示した場合でも、該操作モードに切り替わらない。そのため、プログラムの起動時には、操作モードを該ステータスで必要なマウス操作モードに固定することができる。
【０２３８】
また、制御部１１は、スクリーンセーバ表示中や、スリープ中などの待機状態中にマウス操作モードフラグ１３６をＯＮにすることで、操作モードをマウス操作モードに固定することができる。これにより、待機状態中には、第２の表示パネル２４０の操作モードがマウス操作モードに固定され、たとえユーザが切替ボタン２７０を押してタッチ操作モードへの切り替えを指示した場合でも、該操作モードに切り替わらない。また、操作モードがタッチ操作モードの場合、自動的にマウス操作モードに移行する。そのため、待機状態中には、待機状態からの復帰のための、マウス操作の入力を待機する状態となる。なお、この場合、待機状態からの復帰後には、自動的に待機状態直前の（元の）操作モードにて復帰する。この場合の動作について、他の具体例として説明する。
【０２３９】
すなわち、他の具体例において、第１の画面処理部１０では、図１８の動作のＳ００５において、制御部１１がマウス操作モードフラグ１３６をＯＮしてマウス操作モードを固定すると共に、モード復帰フラグ１３９を立てる。また、操作モードフラグ１３８をマウス操作モードに変更する。
【０２４０】
また、Ｓ０１３で制御部１１は、モード記憶部１３のマウス操作モードフラグ１３６をＯＦＦしてマウス操作モードの固定を解除する際、モード復帰フラグ１３９を参照して、必要に応じて操作モードを切り替えさせるための制御信号を、通信部１５を介して第２の画面処理部２０に対して出力する。具体的には、マウス操作モードの固定を解除する際、モード復帰フラグ１３９が立っていると、制御部１１は操作モードフラグ１３８を参照して、現在の操作モードがマウス操作モードである場合、すなわち、自動的にマウス操作モードに切り替えられたことが示されている場合、操作モードを、自動的な切り替え前のタッチ操作モードに切り替えさせる（戻す）制御信号を、通信部１５を介して第２の画面処理部２０に対して出力する。さらに、制御部１１は、操作モードフラグ１３８をタッチ操作モードに変更し、モード復帰フラグ１３９を倒す。
【０２４１】
また逆の例として、図１８には示されていないものの、同様にしてタッチ操作モードの固定を解除する際にも、モード復帰フラグ１３９が立っていると、制御部１１は操作モードフラグ１３８を参照して、現在の操作モードがタッチ操作モードである場合、すなわち、自動的にタッチ操作モードに切り替えられたことが示されている場合、操作モードを、自動的な切り替え前のマウス操作モードに切り替えさせる（戻す）制御信号を、通信部１５を介して第２の画面処理部２０に対して出力する。さらに、制御部１１は、操作モードフラグ１３８をマウス操作モードに変更し、モード復帰フラグ１３９を倒す。
【０２４２】
または、待機状態から、マウス操作モードを維持して復帰してもよい。この場合の動作について説明する。すなわち、Ｓ００５において、制御部１１がマウス操作モードフラグ１３６をＯＮしてマウス操作モードを固定すると共に、モード復帰フラグ１３９を立てずに、モード復帰時にマウス操作モードを維持してもよい。
【０２４３】
また、逆の例としては、同様にしてタッチ操作モードの固定を解除する際にも、モード復帰フラグ１３９を立てずに、モード復帰時にタッチ操作モードを維持してもよい。
【０２４４】
また、制御部１１は、第１の画面処理部１０で動作させていたアラームの警告ダイアログなどの確認ダイアログが第１の表示パネル１４０に表示され、次の処理に移行するためにユーザ操作が必要であるときに、マウス操作モードフラグ１３６をＯＮにすることで、操作モードをマウス操作モードに固定することができる。これにより、第１の表示パネル１４０に確認ダイアログ表示中には、第２の表示パネル２４０の操作モードがマウス操作モードに固定され、たとえユーザが切替ボタン２７０を押してタッチ操作モードへの切り替えを指示した場合でも、該操作モードに切り替わらない。また、操作モードがタッチ操作モードの場合、自動的にマウス操作モードに移行する。そのため、該状態には、第１の表示パネル１４０に表示された確認ダイアログ内のボタンの選択のための、マウス操作の入力を待機する状態となる。
【０２４５】
また、制御部１１は、第２の画面処理部２０が動作させていたアプリケーションにおける確認ダイアログが第２の表示パネル２４０に表示され、次の処理に移行するためにユーザ操作が必要であるときに、タッチ操作モードフラグ１３７をＯＮにすることで、操作モードをタッチ操作モードに固定することができる。これにより、第２の表示パネル２４０に確認ダイアログ表示中には、第２の表示パネル２４０の操作モードがタッチ操作モードに固定され、たとえユーザが切替ボタン２７０を押してマウス操作モードへの切り替えを指示した場合でも、該操作モードに切り替わらない。また、操作モードがマウス操作モードの場合、自動的にタッチ操作モードに移行する。そのため、該状態には、第２の表示パネル２４０に表示された確認ダイアログ内のボタンの選択のための、タッチ操作の入力を待機する状態となる。
【０２４６】
＜電子機器１００の機能構成および動作の変形例＞
電子機器１００の機能構成の他の具体例として、第２の画面処理部２０がモード切替受付部２７を備えない構成とすることもできる。この場合、切替ボタン２７０からの操作信号は直接制御部１１、または通信部２５を介して第２の画面処理部２０から送信された制御部１１に入力される。
【０２４７】
制御部１１は、切替ボタン２７０から操作信号が入力されるとモード記憶部１３のフラグを参照して、切り替えの可否を判断する。制御部１１は、判断結果に応じた制御信号を、通信部１５を介して第２の画面処理部２０に対して出力する。制御部１１からの制御信号は、通信部２５を介して制御部２１に入力され、該制御信号に従って、実行するプログラムが他方の操作モード用のプログラムに切り替わる。これにより、操作モードが切り替わる。
【０２４８】
図２１、図２２のフローチャートを用いて、電子機器１００での、操作モードを管理するための動作の変形例を具体的に説明する。図２１に表わされる動作は第１の画面処理部１０で行なわれる動作であって、ＣＰＵ１１０がＲＯＭ１７２などに記憶されるプログラムを読み込んで図１７の各部を機能させることで実現される。図２２に表わされる動作は第２の画面処理部２０で行なわれる動作であって、ＣＰＵ２１０がＲＯＭ２７２などに記憶されるプログラムを読み込んで図１７に示される各部のうちのモード切替受付部２７以外の機能させることで実現される。なお、説明の簡便のため、図２１、図２２のフローチャートでは、切替ボタン２７０などによって操作モードの切替操作がなされた場合の動作が表わされている。処理の段階に応じた必要な操作モードに自動的に切り替えるための動作は、図１８〜図２０のフローチャートで表わされた動作と同じである。
【０２４９】
図２１を参照して、操作モードの切り替えを示す操作信号が切替ボタン２７０から入力され（Ｓ３０１でＹＥＳ）、該操作信号がマウス操作モードからタッチ操作モードへの切り替えを指示する操作信号である場合には（Ｓ３０３でＹＥＳ）、制御部１１はモード記憶部１３のマウス操作モードフラグ１３６を参照し、ＯＮであるか否か、つまりマウス操作モードに固定されているか否かを確認する。その結果、マウス操作モードフラグ１３６がＯＦＦである場合、つまり、操作モードがマウス操作モードに固定されていない場合には（Ｓ３０５でＮＯ）、制御部１１はタッチ操作モードに切り替え可能と判断し、Ｓ３０７で通信部１５を介して第２の画面処理部２０に対して、タッチ操作モードへの切り替えを指示する制御信号を出力する。また、操作モードフラグ１３８を、タッチ操作モードを表わす状態（たとえば「１」）に切り替える。
【０２５０】
マウス操作モードフラグ１３６がＯＮである場合、つまり、操作モードがマウス操作モードに固定されている場合には（Ｓ３０５でＹＥＳ）、制御部１１はタッチ操作モードに切り替え不可と判断し、上述のタッチ操作モードへの切り替えを指示する制御信号を出力しない。このとき、好ましくは、表示部１４によって、操作モードをタッチ操作モードに切り替えることができない旨を示す画面を第１の表示パネル１４０に表示するための処理がなされる。これにより、タッチ操作モードへの切り替えを指示したユーザは、現在のステータスがマウス操作モードに固定されており、タッチ操作モードに切り替えられないステータスであることを、第１の表示パネル１４０の表示を見ることで把握することができる。または、好ましくは、制御部１１は通信部１５を介して第２の画面処理部２０に対してタッチ操作モードへの切り替えを許可しない旨の制御信号を出力し、該制御信号に従って、表示部２４は、操作モードをタッチ操作モードに切り替えることができない旨を示す画面を第２の表示パネル２４０に表示するための処理を行なう。これにより、タッチ操作モードへの切り替えを指示したユーザは、現在のステータスがマウス操作モードに固定されており、タッチ操作モードに切り替えられないステータスであることを、第２の表示パネル２４０の表示を見ることで把握することができる。
【０２５１】
切替ボタン２７０から入力された操作信号がタッチ操作モードからマウス操作モードへの切り替えの可否の問い合わせである場合（Ｓ３０３でＮＯ）にも同様に、制御部１１はモード記憶部１３のタッチ操作モードフラグ１３７を参照し、ＯＮであるか否か、つまりタッチ操作モードに固定されているか否かを確認する。その結果、タッチ操作モードフラグ１３７がＯＦＦである場合、つまり、操作モードがタッチ操作モードに固定されていない場合には（Ｓ３０９でＮＯ）、制御部１１はマウス操作モードに切り替え可能と判断し、Ｓ３１１で通信部１５を介して第２の画面処理部２０に対して、マウス操作モードへの切り替えを指示する制御信号を出力する。また制御部１１は、操作モードフラグ１３８を、マウス操作モードを表わす状態（たとえば「０」）とする。
【０２５２】
タッチ操作モードフラグ１３７がＯＮである場合、つまり、操作モードがタッチ操作モードに固定されている場合には（Ｓ３０９でＹＥＳ）、制御部１１はマウス操作モードに切り替え不可と判断し、上述のマウス操作モードへの切り替えを指示する制御信号を出力しない。このとき、好ましくは、表示部１４によって、操作モードをマウス操作モードに切り替えることができない旨を示す画面を第１の表示パネル１４０に表示するための処理がなされる。これにより、マウス操作モードへの切り替えを指示したユーザは、現在のステータスがタッチ操作モードに固定されており、マウス操作モードに切り替えられないステータスであることを、第１の表示パネル１４０の表示を見ることで把握することができる。または、好ましくは、制御部１１は通信部１５を介して第２の画面処理部２０に対してマウス操作モードへの切り替えを許可しない旨の制御信号を出力し、該制御信号に従って、表示部２４は、操作モードをマウス操作モードに切り替えることができない旨を示す画面を第２の表示パネル２４０に表示するための処理を行なう。これにより、マウス操作モードへの切り替えを指示したユーザは、現在のステータスがタッチ操作モードに固定されており、マウス操作モードに切り替えられないステータスであることを、第２の表示パネル２４０の表示を見ることで把握することができる。
【０２５３】
図２２を参照して、第２の画面処理部２０では、マウス操作モードである状態において通信部２５を介して第１の画面処理部１０から、上記Ｓ３０７で出力されたタッチ操作モードへの切り替えを指示する制御信号が入力されると（Ｓ４０１でＹＥＳ）、Ｓ４０３で制御部２１は、該制御信号に従って、実行するプログラムをマウス操作モード用のプログラムからタッチ操作モード用のプログラムに切り替える。これにより、操作モードがマウス操作モードからタッチ操作モードに切り替わる。
【０２５４】
上記制御信号の入力がなく（Ｓ４０１でＮＯ）、マウス操作モードにおいてタッチ処理部２６から操作データが入力された場合には（Ｓ４０５でＹＥＳ）、上記Ｓ１１５と同様に、制御部２１によって、実行しているマウス操作モード用のプログラムに従って、通信部２５を介して第１の画面処理部１０に該操作データが送信される。
【０２５５】
タッチ操作モードにおいても同様に、通信部２５を介して第１の画面処理部１０から、上記Ｓ３１１で出力されたマウス操作モードへの切り替えを指示する制御信号が入力されると（Ｓ４０９でＹＥＳ）、Ｓ４１１で制御部２１は、該制御信号に従って、実行するプログラムをタッチ操作モード用のプログラムからマウス操作モード用のプログラムに切り替える。これにより、操作モードがタッチ操作モードからマウス操作モードに切り替わる。
【０２５６】
上記制御信号の入力がない場合には（Ｓ４０９でＮＯ）、制御部２１は、実行するプログラムをタッチ操作モード用のプログラムのままとし、マウス操作モード用のプログラムに切り替えない。その結果、操作モードはタッチ操作モードに固定されたままとなる。制御部２１では、タッチ操作モード用プログラムが実行されて第２の画面処理部２０で動作するアプリケーションに必要な処理が行なわれる。
【０２５７】
＜電子機器１００の機能構成の第２の具体例＞
図２３を参照して、電子機器１００の、操作モードを切り替えたり、操作モードを固定したりする、操作モードの管理のための機能構成の第２の具体例について説明する。図２３に表わされる各機能もまた、ＣＰＵ１１０，２１０がそれぞれＲＯＭ１７２，２７２などに記憶されているプログラムを読み出して実行することで、主にＣＰＵ１１０，２１０上に形成されるものである。しかしながら、少なくとも一部の機能が、図２に表わされたハードウェア構成を用いて形成されてもよい。
【０２５８】
図を参照して、第２の具体例において、第１の画面処理部１０は、図１７に表わされた第１の具体例にかかる構成のうちのモード記憶部１３を含まない。替わりに、第２の画面処理部２０が、モード記憶部１３に相当するモード記憶部２３を含み、マウス操作モードフラグ２３１、タッチ操作モードフラグ２３２、およびモード復帰フラグ２３３を記憶する。マウス操作モードフラグ２３１がＯＮの状態は、操作モードをマウス操作モードに固定する状態を表わし、タッチ操作モードフラグ２３２がＯＮの状態は、操作モードをタッチ操作モードに固定する状態を表わし、いずれのフラグもＯＦＦの状態は、当該モードの固定を解除する状態を表わす。他の構成は、第１の具体例にかかる構成と同様である。なお、モード復帰フラグ２３３もまた、他の具体例として後に説明する動作に用いられる。
【０２５９】
制御部１１は、現在のステータスに基づいて、たとえばステータス変化時などの所定のタイミングで、当該ステータスで必要である操作モードに固定させるためのコマンドを発生させる。該コマンドは、通信部１５を介して第２の画面処理部２０に出力される。
【０２６０】
入力された上記コマンドに従って、モード記憶部２３に記憶されるマウス操作モードフラグ２３１およびタッチ操作モードフラグ２３２がそれぞれＯＮ／ＯＦＦされる。なお、好ましくは、マウス操作モードフラグ２３１およびタッチ操作モードフラグ２３２のうちに、予め優先順位が定められる。両フラグともＯＮにするコマンドが入力された場合には、優先順位の高い方のフラグがＯＮされ、低い方のフラグはＯＦＦとされる。
【０２６１】
モード切替受付部２７は、操作モードの切り替えを示す操作信号の入力を受け付けると、モード記憶部２３の両フラグを参照し、固定されている操作モードを特定する。モード切替受付部２７は、切り替える操作モードと特定された固定されている操作モードとを比較して、切り替え前の現在の操作モードに固定されていない場合には、切り替え可能と判断する。切り替え前の現在の操作モードに固定されている場合には、切り替え不可と判断する。モード切替受付部２７は、切り替えの許可と判断した場合には、操作モードの切替可能を示す信号を制御部２１に対して出力する。この信号に従って制御部２１は、実行するプログラムを他方の操作モード用のプログラムに切り替える。これにより、操作モードが他方の操作モードに切り替わる。
【０２６２】
また、モード切替受付部２７は、通信部２５を介して第１の画面処理部１０から上記コマンドが入力されると、モード記憶部２３の両フラグを参照し、フラグの状態に応じて操作モードを切り替えさせるための信号を制御部２１に対して出力する。これにより、ステータスに応じて、自動的に制御部２１で実行するプログラムが切り替わり、当該ステータスで必要な操作モードに切り替えられる。
【０２６３】
＜電子機器１００の動作の第２の具体例＞
図２４、図２５のフローチャートを用いて、電子機器１００での、操作モードを管理するための動作の第２の具体例を説明する。図２４に表わされる動作は第１の画面処理部１０で行なわれる動作であって、ＣＰＵ１１０がＲＯＭ１７２などに記憶されるプログラムを読み込んで図２３の各部を機能させることで実現される。図２５に表わされる動作は第２の画面処理部２０で行なわれる動作であって、ＣＰＵ２１０がＲＯＭ２７２などに記憶されるプログラムを読み込んで図２３の各部を機能させることで実現される。
【０２６４】
図２４は、第１の画面処理部１０が、第２の画面処理部２０に記憶される操作モードフラグを、ステータスに応じた状態に切り替えるための動作の具体例を示し、典型的な例として、待機状態（スクリーンセーバ表示、スリープ）に関する動作を表わしている。
【０２６５】
図を参照して、制御部１１は、プログラム保持部１２に記憶されているプログラムの実行中、入力部１６からの操作信号の入力を監視している。操作信号の入力が待機状態に移行するための時間として予め規定される時間内に操作信号が入力されている場合には（Ｓ５０１でＮＯ）、Ｓ５０３で制御部１１は、プログラムに従って操作信号で特定される操作データを処理する。
【０２６６】
上記時間内に操作信号が入力されなかった場合（Ｓ５０１でＹＥＳ）、Ｓ５０５で制御部１１は待機状態に移行する。Ｓ５０７で制御部１１は待機状態で必要であるマウス操作モードに固定させるためのコマンドを発生させ、通信部１５を介して第２の画面処理部２０に対して出力する。
【０２６７】
待機状態において、入力部１６からの操作信号を受け付けると（Ｓ５０９でＹＥＳ）、Ｓ５１１で制御部１１は待機状態から復帰し、元のプログラムの処理状態へ移行する。また、Ｓ５１３で制御部１１は、マウス操作モードの固定を解除させるためのコマンドを発生させ、通信部１５を介して第２の画面処理部２０に対して出力する。
【０２６８】
図２５は、第２の画面処理部２０で操作モードを管理するための動作の具体例を示している。図２５においても、左側は操作モードがマウス操作モードであるときの動作を表わし、右側は操作モードがタッチ操作モードであるときの動作を表わしている。
【０２６９】
図を参照して、マウス操作モードである状態において通信部２５を介して第１の画面処理部１０から、操作モードを固定するための上記コマンドが入力されると、（Ｓ６０１でＹＥＳ）、Ｓ６０３で上記コマンドに従って、モード記憶部２３に記憶されるフラグの状態が更新される。上記更新の結果、タッチ操作モードフラグ２３２がＯＮとなりタッチ操作モードが固定された場合には（Ｓ６０５でＹＥＳ）、Ｓ６０７でモード切替受付部２７は、モード記憶部２３に記憶されるフラグの状態に従って操作モードをマウス操作モードからタッチ操作モードに切り替えさせるための信号を制御部２１に対して出力する。これにより、制御部２１で実行するプログラムがマウス操作モード用のプログラムからタッチ操作モード用のプログラムに切り替わり、操作モードがタッチ操作モードに切り替わる。
【０２７０】
第１の画面処理部１０から上記コマンドの入力がない場合であっても（Ｓ６０１でＮＯ）、操作モードの切り替えを示す操作信号が切替ボタン２７０から入力された場合（Ｓ６０９でＹＥＳ）、モード切替受付部２７はモード記憶部２３に記憶されるフラグの状態を確認する。マウス操作モードフラグ２３１がＯＮでない、つまりマウス操作モードに固定されていない場合には（Ｓ６１１でＮＯ）、Ｓ６０７でモード切替受付部２７は、モード記憶部２３に記憶されるフラグの状態に従って操作モードをマウス操作モードからタッチ操作モードに切り替えさせるための信号を制御部２１に対して出力する。これにより、制御部２１で実行するプログラムがマウス操作モード用のプログラムからタッチ操作モード用のプログラムに切り替わり、操作モードがタッチ操作モードに切り替わる。
【０２７１】
マウス操作モードフラグ２３１がＯＮである、つまりマウス操作モードに固定されている場合には（Ｓ６１１でＹＥＳ）、モード切替受付部２７は操作モードの切り替えを行なわないと判断し、切り替えのための信号を制御部２１に対して出力しない。制御部２１は、実行するプログラムをマウス操作モード用のプログラムのままとする。このとき、好ましくは、表示部２４によって、操作モードをタッチ操作モードに切り替えることができない旨を示す画面を第２の表示パネル２４０に表示するための処理がなされる。これにより、タッチ操作モードへの切り替えを指示したユーザは、現在のステータスがマウス操作モードに固定されており、タッチ操作モードに切り替えられないステータスであることを、第２の表示パネル２４０の表示を見ることで把握することができる。
【０２７２】
マウス操作モード用のプログラムを実行している状態で、制御部２１は第２の表示パネル２４０の操作に基づくタッチ処理部２６からの操作データの入力を監視する。また、入力のない状態で第１の画面処理部１０から操作モードの切り替えを指示する制御信号が入力されたり、切替ボタン２７０から操作モードの切り替えを示す操作信号が入力されたりした場合には、上述の動作を繰り返す。タッチ処理部２６から操作データが入力されると（Ｓ６１３でＹＥＳ）、Ｓ６１５で制御部２１は、実行しているマウス操作モード用のプログラムに従って、通信部２５を介して第１の画面処理部１０に該操作データを送信する。
【０２７３】
一方、タッチ操作モードにおいても同様に、通信部２５を介して第１の画面処理部１０から、操作モードを固定するための上記コマンドが入力されると（Ｓ６１７でＹＥＳ）、Ｓ６１９で上記コマンドに従って、モード記憶部２３に記憶されるフラグの状態が更新される。上記更新の結果、マウス操作モードフラグ２３１がＯＮとなりマウス操作モードが固定された場合には（Ｓ６２１でＹＥＳ）、Ｓ６２３でモード切替受付部２７は、モード記憶部２３に記憶されるフラグの状態に従って操作モードをタッチ操作モードからマウス操作モードに切り替えさせるための信号を制御部２１に対して出力する。これにより、制御部２１で実行するプログラムがタッチ操作モード用のプログラムからマウス操作モード用のプログラムに切り替わり、操作モードがマウス操作モードに切り替わる。
【０２７４】
第１の画面処理部１０から上記コマンドの入力がない場合であっても（Ｓ６１７でＮＯ）、操作モードの切り替えを示す操作信号が切替ボタン２７０から入力された場合（Ｓ６２５でＹＥＳ）、モード切替受付部２７はモード記憶部２３に記憶されるフラグの状態を確認する。タッチ操作モードフラグ２３２がＯＮでない、つまりタッチ操作モードに固定されていない場合には（Ｓ６２７でＮＯ）、Ｓ６２３でモード切替受付部２７は、モード記憶部２３に記憶されるフラグの状態に従って操作モードをタッチ操作モードからマウス操作モードに切り替えさせるための信号を制御部２１に対して出力する。これにより、制御部２１で実行するプログラムがタッチ操作モード用のプログラムからマウス操作モード用のプログラムに切り替わり、操作モードがマウス操作モードに切り替わる。
【０２７５】
タッチ操作モードフラグ２３２がＯＮである、つまりタッチ操作モードに固定されている場合には（Ｓ６２７でＹＥＳ）、モード切替受付部２７は操作モードの切り替えを行なわないと判断し、切り替えのための信号を制御部２１に対して出力しない。制御部２１は、実行するプログラムをタッチ操作モード用のプログラムのままとする。このとき、好ましくは、表示部２４によって、操作モードをマウス操作モードに切り替えることができない旨を示す画面を第２の表示パネル２４０に表示するための処理がなされる。これにより、マウス操作モードへの切り替えを指示したユーザは、現在のステータスがタッチ操作モードに固定されており、マウス操作モードに切り替えられないステータスであることを、第２の表示パネル２４０の表示を見ることで把握することができる。
【０２７６】
実行しているタッチ操作モード用のプログラムに従って、Ｓ６２９で制御部２１は、第２の画面処理部２０で動作するアプリケーションに必要な処理を行なう。処理中に、第１の画面処理部１０から操作モードの切り替えを指示する制御信号が入力されたり、切替ボタン２７０から操作モードの切り替えを示す操作信号が入力されたりした場合には、上述のＳ６１７以降の動作を繰り返す。
【０２７７】
第２の具体例に示されるように、操作モードの状態を記憶するためのモード記憶部２３が第２の画面処理部２０に備えられる場合にも、第１の具体例と同様に、入力装置として第２の表示パネル２４０の操作モードが実行されている処理の段階で必要な操作モードに自動的に切り替わる。また、ユーザによって操作モードの切り替えの指示がなされた場合でも切り替えがなされないため、必要な操作モードに固定されることになる。
【０２７８】
なお、第２の具体例でも、第１の具体例と同様に、待機状態からの復帰後に、自動的に待機状態直前の（元の）操作モードに復帰するとしてもよい。この場合の動作について、他の具体例として説明する。
【０２７９】
すなわち、他の具体例において、第２の画面処理部２０では、図２５のＳ６０７で制御部２１は、第１の画面処理部１０からのコマンドに従って実行するプログラムをマウス操作モード用のプログラムからタッチ操作モード用のプログラムに切り替えるときに、併せて、モード復帰フラグ２３３を立てる。また、Ｓ６２３で、第１の画面処理部１０からのコマンドに従って実行するプログラムをタッチ操作モード用のプログラムからマウス操作モード用のプログラムに切り替えるときに、併せて、モード復帰フラグ２３３を立てる。
【０２８０】
さらに、第２の画面処理部２０では、図２４の動作のＳ５１３で第１の画面処理部１０から送信されるマウス操作モードの固定を解除させるためのコマンド、または図２４には示されていない同様の動作によって第１の画面処理部１０から送信される、タッチ操作モードの固定を解除させるためのコマンドを受信した場合には、図２５の動作のＳ６０３で、モード記憶部２３に記憶されるマウス操作モードフラグ２３１またはタッチ操作モードフラグ２３２の固定状態が解除される（または、両フラグの固定状態が解除される）と共に、モード復帰フラグ２３３の状態に応じて操作モードの切り替えが行なわれる。具体的には、Ｓ６０３でマウス操作モードの固定を解除する場合には、モード復帰フラグ２３３が立っているときには、すなわち、自動的にマウス操作モードに切り替えられたことが示されているときには、Ｓ６０７で制御部２１は、実行しているプログラムを、マウス操作モード用のプログラムから元のタッチ操作モード用のプログラムに切り替える。この動作の場合、Ｓ６０７で制御部２１は、モード復帰フラグ２３３を倒す。または、Ｓ６１９でタッチ操作モードの固定を解除する場合には、モード復帰フラグ２３３が立っているときには、すなわち、自動的にタッチ操作モードに切り替えられたことが示されているときには、Ｓ６２３で制御部２１は、実行しているプログラムを、タッチ操作モード用のプログラムから元のマウス操作モード用のプログラムに切り替える。この動作の場合、Ｓ６２３で制御部２１は、モード復帰フラグ２３３を倒す。
【０２８１】
なお、先述のように、待機状態から、待機状態中の操作モードを維持して復帰するとしてもよい。この場合には、制御部２１はＳ６０７またはＳ６２３で、第１の画面処理部１０からのコマンドに従って実行するプログラムを切り替える際に、モード復帰フラグ２３３を立てない。
【０２８２】
なお、第２の具体例では、制御部１１が現在のステータスに基づいて当該ステータスで必要である操作モードに固定させるためのコマンドを発生させ、該コマンドが第１の画面処理部１０から第２の画面処理部２０に対して出力されることで、モード記憶部２３に記憶されるマウス操作モードフラグ２３１およびタッチ操作モードフラグ２３２が更新されるものとしている。しかしながら、他の例として、制御部１１は、コマンドに替えて、現在のステータスを示す情報を、通信部１５を介して第２の画面処理部２０に対して出力してもよい。この場合、制御部２１が入力された現在のステータスを示す情報に基づいて、当該ステータスで必要である操作モードに固定させるためのコマンドを発生させ、該コマンドに従って、モード記憶部２３に記憶されるマウス操作モードフラグ２３１およびタッチ操作モードフラグ２３２がそれぞれＯＮ／ＯＦＦされる。この場合も、第１の画面処理部１０および第２の画面処理部２０で、各々、図２４、図２５のフローチャートに示された動作が行なわれ、操作モードが管理される。
【０２８３】
また、以上の例では、フラグを用いて現在のステータスに応じた操作モードを管理するものとしているが、フラグを用いる方法は一例に過ぎず、他の方法であってもよい。たとえば、予めステータスと適した操作モードとの対応関係を記述するテーブルを記憶しておき、フラグを用いず該テーブルを参照することで、現在のステータスに適した操作モードを判断するようにしてもよい。
【０２８４】
また、以上の例では、第１の画面処理部１０と第２の画面処理部２０とに分離してそれぞれの表示パネルを用いるプログラムの実行を管理するものとしているが、この説明は概念的なものであって、実際には、これらが分離した処理として構成されても、一体の処理部として構成されてもよい。
【０２８５】
また、以上の例では、第２の表示パネル２４０をタッチパネルとして、入力装置としての第２の表示パネル２４０の操作モードを管理する方法を例に説明しているため、マウス操作モードとタッチ操作モードとの２種類の操作モード間の切り替えが例に挙げられている。しかしながら、入力装置はタッチパネルに限定されず、その他、ユーザ操作を受け付けることができる装置であればいかなる装置であってもよい。そのため、操作モードは上の２種類に限定されず、該入力装置に応じた種類、数だけあってもよい。この場合、モード記憶部に、入力装置に応じた種類、数の操作モードに対応するフラグが記憶されることで、上の動作が実現される。
【０２８６】
さらに、上述の第１の画面処理部１０および第２の画面処理部２０での動作を実行させるためのプログラムを提供することもできる。このようなプログラムは、コンピュータに付属するフレキシブルディスク、ＣＤ−ＲＯＭ、ＲＯＭ、ＲＡＭおよびメモリカードなどのコンピュータ読み取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０２８７】
なお、上記プログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも提供されるプログラムに含まれ得る。
【０２８８】
また、上記プログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも提供されるプログラムに含まれ得る。
【０２８９】
提供されるプログラム製品は、ハードディスクなどのプログラム格納部にインストールされて実行される。なお、プログラム製品は、プログラム自体と、プログラムが記録された記録媒体とを含む。
【０２９０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０２９１】
１００  電子機器、１０１  本体装置、１０２，１０３  表示装置、１１０  ＣＰＵ、１３０  ドライバ、１３１  走査信号線駆動回路、１３２  データ信号線駆動回路、１３３  光センサ駆動回路、１３４  スイッチ、１３５  アンプ、１４０  第１の光センサ内蔵液晶パネル（第１の表示パネル）、１４１，２４１  画素回路、１４１ｂ，１４１ｇ，１４１ｒ  サブピクセル回路、１４３  電極対、１４３ａ  画素電極、１４３ｂ  対向電極、１４４  光センサ回路、１４５，１４５ｂ，１４５ｇ，１４５ｒ  フォトダイオード、１４６  コンデンサ、１５１Ａ  アクティブマトリクス基板、１５１Ｂ  対向基板、１５２  液晶層、１５３ｂ，１５３ｇ，１５３ｒ  カラーフィルタ、１５７  データ信号線、１６１  偏光フィルタ、１６２  ガラス基板、１６３  遮光膜、１６４  配向膜、１７１  ＲＡＭ、１７３  メモリカードリーダライタ、１７４  外部通信装置、１７５  マイク、１７６  スピーカ、１７７  操作キー、１７９  バックライト、１８０  画像処理エンジン、１８１  ドライバ制御部、１８２  タイマ、１８３  信号処理部、２４０  第２の光センサ内蔵液晶パネル（第２の表示パネル）、２７０  切替ボタン、１００１  第１のユニット、１００２  第２のユニット、１７３１  メモリカード、ＤＢ１，ＤＢ２  データバス。
【図１】
2010267013.tif 000003
【図２】
2010267013.tif 000004
【図３】
2010267013.tif 000005
【図４】
2010267013.tif 000006
【図５】
2010267013.tif 000007
【図６】
2010267013.tif 000008
【図７】
2010267013.tif 000009
【図８】
2010267013.tif 000010
【図９】
2010267013.tif 000011
【図１０】
2010267013.tif 000012
【図１１】
2010267013.tif 000013
【図１２】
2010267013.tif 000014
【図１３】
2010267013.tif 000015
【図１４】
2010267013.tif 000016
【図１５】
2010267013.tif 000017
【図１６】
2010267013.tif 000018
【図１７】
2010267013.tif 000019
【図１８】
2010267013.tif 000020
【図１９】
2010267013.tif 000021
【図２０】
2010267013.tif 000022
【図２１】
2010267013.tif 000023
【図２２】
2010267013.tif 000024
【図２３】
2010267013.tif 000025
【図２４】
2010267013.tif 000026
【図２５】
2010267013.tif 000027